(57)【要約】電子デバイスへのアクセスを可能にするためにユーザを検証するための、電子デバイスによって遂行される方法が開示される。この方法では、センサデータが、少なくとも画像センサおよび音センサを含む複数のセンサから受信されうる。電子デバイスのコンテキスト情報が、センサデータに基づいて決定され、少なくとも１つの検証ユニットが、コンテキスト情報に基づいて、複数の検証ユニットから選択されうる。画像センサまたは音センサのうちの少なくとも１つからのセンサデータに基づいて、少なくとも１つの選択された検証ユニットは、少なくとも１つの検証値を算出しうる。方法は、少なくとも１つの検証値およびコンテキスト情報に基づいて、ユーザが電子デバイスにアクセスすることを可能にするかどうかを決定しうる。【選択図】図２
2018508868.tif 000002
【特許請求の範囲】
【請求項１】
電子デバイスへのアクセスを可能にするためにユーザを検証するための、前記電子デバイスによって遂行される方法であって、前記方法は、
複数のセンサからセンサデータを受信することと、ここにおいて、前記複数のセンサは、少なくとも画像センサおよび音センサを含む、
前記センサデータに基づいて、前記電子デバイスのコンテキスト情報を決定することと、
前記コンテキスト情報に基づいて、複数の検証ユニットから少なくとも１つの検証ユニットを選択することと、ここにおいて、前記複数の検証ユニットの各々は、前記ユーザが前記電子デバイスにアクセスすることを認可されるかどうかを検証することが可能である、
前記少なくとも１つの選択された検証ユニットが、前記画像センサまたは前記音センサのうちの少なくとも１つからの前記センサデータに基づいて、少なくとも１つの検証値を算出することと、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定することと
を備える、方法。
【請求項２】
前記複数のセンサから前記センサデータを受信することは、
前記画像センサから、第１のセンサデータを受信することと、ここにおいて、前記第１のセンサデータは、前記ユーザを示す少なくとも１つの画像を含む、
前記音センサから、第２のセンサデータを受信することと、ここにおいて、前記第２のセンサデータは、前記ユーザからの音または環境音のうちの少なくとも１つを示す入力音を含む、
を備える、請求項１に記載の方法。
【請求項３】
前記電子デバイスの前記コンテキスト情報を決定することは、前記第１のセンサデータまたは前記第２のセンサデータのうちの少なくとも１つのデータ品質を示す少なくとも１つの信頼度値を算出することを備える、請求項２に記載の方法。
【請求項４】
前記複数の検証ユニットから前記少なくとも１つの検証ユニットを選択することは、前記少なくとも１つの信頼度値に基づいて、前記複数の検証ユニットから前記少なくとも１つの検証ユニットを選択することを備える、請求項３に記載の方法。
【請求項５】
前記電子デバイスの電力状態をモニタすることをさらに備え、
前記電子デバイスの前記コンテキスト情報を決定することは、前記電子デバイスの前記電力状態に少なくとも基づいて、前記コンテキスト情報を決定することを備える、請求項１に記載の方法。
【請求項６】
前記電子デバイスの前記コンテキスト情報を決定することは、
セキュリティレベルに関連付けられたイベントを検出することと、
前記イベントに関連付けられた前記セキュリティレベルに少なくとも基づいて、前記コンテキスト情報を決定することと
を備える、請求項１に記載の方法。
【請求項７】
前記複数のセンサは、加速度計またはジャイロスコープのうちの少なくとも１つを含み、前記加速度計または前記ジャイロスコープのうちの前記少なくとも１つからの前記センサデータは、前記電子デバイスの動きを示す、請求項１に記載の方法。
【請求項８】
前記複数のセンサは、ロケーションセンサを含み、前記ロケーションセンサからの前記センサデータは、前記電子デバイスのロケーションを示す、請求項１に記載の方法。
【請求項９】
前記ユーザが前記電子デバイスにアクセスすることを可能にするかどうかを決定することは、
前記コンテキスト情報に基づいて、少なくとも１つの重みを前記少なくとも１つの選択された検証ユニットに割り当てることと、
前記少なくとも１つの検証値および前記少なくとも１つの重みに基づいて、前記ユーザが前記電子デバイスにアクセスすることを可能にするかどうかを決定することと
を備える、請求項１に記載の方法。
【請求項１０】
前記複数の検証ユニットは、顔検証ユニット、唇の動き検証ユニット、音声検証ユニット、パスコード検証ユニット、指紋検証ユニット、および網膜検証ユニットのうちの少なくとも２つを含む、請求項１に記載の方法。
【請求項１１】
前記所定のアクセスコマンドは、キーワード、動きのパターン、唇の動き、または顔の表情のうちの少なくとも１つを含む、請求項１に記載の方法。
【請求項１２】
電子デバイスへのアクセスを可能にするためにユーザを検証するための前記電子デバイスであって、
複数のセンサからセンサデータを受信するように構成されたプロセッサを備え、前記複数のセンサは、少なくとも画像センサおよび音センサを含み、前記プロセッサは、
前記センサデータに基づいて、前記電子デバイスのコンテキスト情報を決定するように構成されたコンテキスト情報決定ユニットと、
前記コンテキスト情報に基づいて、複数の検証ユニットから少なくとも１つの検証ユニットを選択するように構成された検証管理ユニットと、ここにおいて、前記複数の検証ユニットの各々は、前記ユーザが前記電子デバイスにアクセスすることを認可されるかどうかを検証することが可能である、
前記複数の検証ユニットを含む検証エンジンと、ここにおいて、前記少なくとも１つの選択された検証ユニットは、前記画像センサまたは前記音センサのうちの少なくとも１つからの前記センサデータに基づいて、少なくとも１つの検証値を算出するように構成され、前記少なくとも１つの検証値の各々は、認可されたユーザまたは所定のアクセスコマンドのうちの少なくとも１つを示す、
を備え、前記検証管理ユニットは、前記少なくとも１つの検証値および前記コンテキスト情報に基づいて、前記ユーザが前記電子デバイスにアクセスすることを可能にするかどうかを決定するように構成される、電子デバイス。
【請求項１３】
前記プロセッサは、
前記画像センサから、第１のセンサデータを受信することと、ここにおいて、前記第１のセンサデータは、前記ユーザを示す少なくとも１つの画像を含む、
前記音センサから、第２のセンサデータを受信することと、ここにおいて、前記第２のセンサデータは、前記ユーザからの音または環境音のうちの少なくとも１つを示す入力音を含む、
を行うように構成される、請求項１２に記載の電子デバイス。
【請求項１４】
前記コンテキスト情報決定ユニットは、前記第１のセンサデータまたは前記第２のセンサデータのうちの少なくとも１つのデータ品質を示す少なくとも１つの信頼度値を算出するように構成される、請求項１３に記載の電子デバイス。
【請求項１５】
前記検証管理ユニットは、前記少なくとも１つの信頼度値に基づいて、前記複数の検証ユニットから前記少なくとも１つの検証ユニットを選択するように構成される、請求項１４に記載の電子デバイス。
【請求項１６】
前記電子デバイスの電力状態をモニタするように構成された電力センサをさらに備え、
前記コンテキスト情報決定ユニットは、前記電子デバイスの前記電力状態に少なくとも基づいて、前記コンテキスト情報を決定するように構成される、請求項１２に記載の電子デバイス。
【請求項１７】
前記コンテキスト情報決定ユニットは、
セキュリティレベルに関連付けられたイベントを検出することと、
前記イベントに関連付けられた前記セキュリティレベルに少なくとも基づいて、前記コンテキスト情報を決定することと
を行うように構成される、請求項１２に記載の電子デバイス。
【請求項１８】
前記複数のセンサは、加速度計またはジャイロスコープのうちの少なくとも１つを含み、前記加速度計または前記ジャイロスコープのうちの前記少なくとも１つからの前記センサデータは、前記電子デバイスの動きを示す、請求項１２に記載の電子デバイス。
【請求項１９】
前記複数のセンサは、ロケーションセンサを含み、前記ロケーションセンサからの前記センサデータは、前記電子デバイスのロケーションを示す、請求項１２に記載の電子デバイス。
【請求項２０】
前記検証管理ユニットは、
前記コンテキスト情報に基づいて、少なくとも１つの重みを前記少なくとも１つの選択された検証ユニットに割り当てることと、
前記少なくとも１つの検証値および前記少なくとも１つの重みに基づいて、前記ユーザが前記電子デバイスにアクセスすることを可能にするかどうかを決定することと
を行うように構成される、請求項１２に記載の電子デバイス。
【請求項２１】
前記複数の検証ユニットは、顔検証ユニット、唇の動き検証ユニット、音声検証ユニット、パスコード検証ユニット、指紋検証ユニット、および網膜検証ユニットのうちの少なくとも２つを含む、請求項１２に記載の電子デバイス。
【請求項２２】
前記所定のアクセスコマンドは、キーワード、動きのパターン、唇の動き、または顔の表情のうちの少なくとも１つを含む、請求項１２に記載の電子デバイス。
【請求項２３】
電子デバイスが、前記電子デバイスへのアクセスを可能にするためにユーザを検証するための命令を備える非一時的コンピュータ可読記憶媒体であって、前記命令は、前記電子デバイスのプロセッサに、
複数のセンサからセンサデータを受信することと、ここにおいて、前記複数のセンサは、少なくとも画像センサおよび音センサを含む、
前記センサデータに基づいて、前記電子デバイスのコンテキスト情報を決定することと、
前記コンテキスト情報に基づいて、複数の検証ユニットから少なくとも１つの検証ユニットを選択することと、ここにおいて、前記複数の検証ユニットの各々は、前記ユーザが前記電子デバイスにアクセスすることを認可されるかどうかを検証することが可能である、
前記少なくとも１つの選択された検証ユニットが、前記画像センサまたは前記音センサのうちの少なくとも１つからの前記センサデータに基づいて、少なくとも１つの検証値を算出することと、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定することと
を行う動作を遂行させる、非一時的コンピュータ可読記憶媒体。
【請求項２４】
電子デバイスへのアクセスを可能にするためにユーザを検証するための前記電子デバイスであって、
複数のセンサからセンサデータを受信するための手段と、ここにおいて、前記複数のセンサは、少なくとも画像センサおよび音センサを含む、
前記センサデータに基づいて、前記電子デバイスのコンテキスト情報を決定するための手段と、
前記コンテキスト情報に基づいて、複数の検証ユニットから少なくとも１つの検証ユニットを選択するための手段と、ここにおいて、前記複数の検証ユニットの各々は、前記ユーザが前記電子デバイスにアクセスすることを認可されるかどうかを検証することが可能である、
前記画像センサまたは前記音センサのうちの少なくとも１つからの前記センサデータに基づいて、前記少なくとも１つの選択された検証ユニットの少なくとも１つの検証値を算出するための手段と、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定するための手段と
を備える、電子デバイス。
【請求項２５】
前記複数のセンサから前記センサデータを前記受信するための手段は、
前記画像センサから、第１のセンサデータを受信するための手段と、ここにおいて、前記第１のセンサデータは、前記ユーザを示す少なくとも１つの画像を含む、
前記音センサから、第２のセンサデータを受信するための手段と、ここにおいて、前記第２のセンサデータは、前記ユーザからの音または環境音のうちの少なくとも１つを示す入力音を含む、
を備える、請求項２４に記載の電子デバイス。
【請求項２６】
前記電子デバイスの前記コンテキスト情報を前記決定するための手段は、前記第１のセンサデータまたは前記第２のセンサデータのうちの少なくとも１つのデータ品質を示す少なくとも１つの信頼度値を算出するための手段を備える、請求項２５に記載の電子デバイス。
【請求項２７】
前記複数の検証ユニットから前記少なくとも１つの検証ユニットを前記選択するための手段は、前記少なくとも１つの信頼度値に基づいて、前記複数の検証ユニットから前記少なくとも１つの検証ユニットを選択するための手段を備える、請求項２６に記載の電子デバイス。
【請求項２８】
前記電子デバイスの電力状態をモニタするための手段をさらに備え、
前記電子デバイスの前記コンテキスト情報を前記決定するための手段は、前記電子デバイスの前記電力状態に少なくとも基づいて、前記コンテキスト情報を決定するための手段を備える、請求項２４に記載の電子デバイス。
【請求項２９】
前記電子デバイスの前記コンテキスト情報を前記決定するための手段は、
セキュリティレベルに関連付けられたイベントを検出するための手段と、
前記イベントに関連付けられた前記セキュリティレベルに少なくとも基づいて、前記コンテキスト情報を決定するための手段と
を備える、請求項２４に記載の電子デバイス。
【請求項３０】
前記ユーザが前記電子デバイスにアクセスすることを可能にするかどうかを前記決定するための手段は、
前記コンテキスト情報に基づいて、少なくとも１つの重みを前記少なくとも１つの選択された検証ユニットに割り当てるための手段と、
前記少なくとも１つの検証値および前記少なくとも１つの重みに基づいて、前記ユーザが前記電子デバイスにアクセスすることを可能にするかどうかを決定するための手段と
を備える、請求項２４に記載の電子デバイス。
【発明の詳細な説明】
【関連出願の相互参照】
【０００１】
[0001]本願は、２０１５年１月１５日に出願された、共同所有される米国非仮特許出願第１４／５９７，９０５号からの優先権を主張し、その内容は、その全体が参照によりここに明確に組み込まれる。
【技術分野】
【０００２】
[0002]本開示は、電子デバイスにアクセスすることに関し、より具体的には、電子デバイスへのアクセスを認可するかどうかを検証することに関する。
【背景技術】
【０００３】
[0003]近年では、スマートフォン、タブレットコンピュータ、ウェアラブルコンピュータ、等のような電子デバイスの使用が増加している。そのような電子デバイスは、データ処理、データおよび／または音声通信、ウェブブラウジング、ゲーミング、等のような多様な機能または能力を提供しうる。加えて、電子メールアプリケーション、メッセージアプリケーション、バンキングアプリケーション、マルチメディアアプリケーション、等のような多様な機能またはアプリケーションが、ユーザの利便性のために、そのような電子デバイス中に提供されうる。
【０００４】
[0004]従来の電子デバイスは、個人またはプライベートの情報を記憶、またはそれらへのアクセスを提供することが多い。例えば、電子デバイス中の電子メールは、個人またはビジネスで使用するための機密情報を含みうる。同様に、電子デバイスは、ユーザが口座番号および口座残高のような機密の金融情報にアクセスすることを可能にしうる。認可されていないユーザがそのような機密情報にアクセスすることを防ぐために、従来の電子デバイスは、そのような電子デバイスへのアクセスを限定する１つまたは複数のセキュリティ機能（security feature）を提供することが多い。例えば、電子デバイスは、電子デバイスへのアクセスを可能にする前にユーザが検証されることを求めうる。
【０００５】
[0005]いくつかの従来の電子デバイスは、ユーザからの音またはユーザの画像のような検証入力に応答してユーザを検証しうる。例えば、ユーザは、電子デバイスをロック解除するために、音を発声またはユーザの顔画像を提供しうる。しかしながら、そのような入力は、ロケーション、時間、等に依存して異なりうる電子デバイスの環境条件の影響を受けることが多い。雑音に満ちたショッピングセンター中で入力音が受信されるケースでは、例えば、電子デバイスの背景雑音が入力音の品質を低下させうることから、ユーザは、入力音から検証されないことがありうる。同様に、ユーザの屋外での画像が夜に受信されたとき、その画像は、ユーザの検証を可能にするには十分な品質でないことがありうる。それ故に、電子デバイスは、電子デバイスにアクセスすることに関してユーザを正確に検証できないことがありうる。
【発明の概要】
【０００６】
[0006]本開示は、電子デバイスのセンサデータおよびコンテキスト情報に基づいて、ユーザが電子デバイスにアクセスすることを認可されるかどうかを検証することに関する。
【０００７】
[0007]本開示の一態様にしたがって、電子デバイスへのアクセスを可能にするためにユーザを検証するための、電子デバイスによって遂行される方法が開示される。この方法では、センサデータが、少なくとも画像センサおよび音センサを含む複数のセンサから受信されうる。電子デバイスのコンテキスト情報が、センサデータに基づいて決定され、少なくとも１つの検証ユニットが、コンテキスト情報に基づいて、複数の検証ユニットから選択されうる。複数の検証ユニットの各々は、ユーザが電子デバイスにアクセスすることを認可されるかどうかを検証することが可能でありうる。画像センサまたは音センサのうちの少なくとも１つからのセンサデータに基づいて、少なくとも１つの選択された検証ユニットは、少なくとも１つの検証値を算出しうる。少なくとも１つの検証値の各々は、認可されたユーザまたは所定のアクセスコマンドのうちの少なくとも１つを示しうる。少なくとも１つの検証値およびコンテキスト情報に基づいて、ユーザが電子デバイスにアクセスすることを可能にするかどうかが決定されうる。この開示はまた、この方法に関連する装置、デバイス、サーバ、システム、手段の組み合わせ、およびコンピュータ可読媒体を説明する。
【０００８】
[0008]本開示の別の態様にしたがって、電子デバイスへのアクセスを可能にするためにユーザを検証するための電子デバイスが開示される。電子デバイスは、少なくとも画像センサおよび音センサを含む複数のセンサからセンサデータを受信するように構成されたプロセッサを含みうる。プロセッサは、コンテキスト情報決定ユニット、検証管理ユニット、および検証エンジンを含みうる。コンテキスト情報決定ユニットは、センサデータに基づいて、電子デバイスのコンテキスト情報を決定するように構成されうる。さらに、検証管理ユニットは、コンテキスト情報に基づいて、複数の検証ユニットから少なくとも１つの検証ユニットを選択するように構成されうる。複数の検証ユニットの各々は、ユーザが電子デバイスにアクセスすることを認可されるかどうかを検証することが可能でありうる。検証エンジンは、複数の検証ユニットを含み、少なくとも１つの選択された検証ユニットは、画像センサまたは音センサのうちの少なくとも１つからのセンサデータに基づいて、少なくとも１つの検証値を算出するように構成されうる。少なくとも１つの検証値の各々は、認可されたユーザまたは所定のアクセスコマンドのうちの少なくとも１つを示す。検証管理ユニットはその後、少なくとも１つの検証値およびコンテキスト情報に基づいて、ユーザが電子デバイスにアクセスすることを可能にするかどうかを決定しうる。
【０００９】
[0009]この開示の実施形態は、添付の図面と併せて読まれたとき、以下の詳細な説明を参照して理解されるであろう。
【図面の簡単な説明】
【００１０】
【図１】本開示の一実施形態にしたがって、電子デバイスのセンサデータおよびコンテキスト情報に基づいて、電子デバイスへのアクセスを可能にするためにユーザを検証するように構成された電子デバイスを例示する。
【図２】本開示の一実施形態にしたがって、センサデータおよびコンテキスト情報に基づいて、ユーザが電子デバイスにアクセスすることを認可されるかどうかを検証するように構成された電子デバイスのブロック図である。
【図３】本開示の一実施形態にしたがって、１つまたは複数の入力からセンサデータを生成し、センサデータをコンテキスト情報決定ユニットおよび検証エンジンに提供するように構成されたセンサユニットの詳細なブロック図を例示する。
【図４】本開示の一実施形態にしたがって、センサユニットからセンサデータを受信し、センサデータに基づいて、１つまたは複数の検証値を算出するように構成された検証エンジンの詳細なブロック図である。
【図５】本開示の一実施形態にしたがって、電子デバイスのコンテキスト情報および複数のセンサからのセンサデータに基づいて、電子デバイスへのアクセスを可能にするためにユーザを検証するための、電子デバイスによって遂行される方法のフローチャートである。
【図６】本開示の一実施形態にしたがって、センサユニットからのセンサデータおよび所定のイベントの通知を受信し、電子デバイスのコンテキスト情報を決定するように構成されたコンテキスト情報決定ユニットのブロック図である。
【図７】本開示の一実施形態にしたがって、検証エンジン中の複数の検証ユニットから、電子デバイスのコンテキスト情報に基づいて、１つまたは複数の検証ユニットを選択するように構成された検証管理ユニットのブロック図である。
【図８】本開示の一実施形態にしたがって、センサデータを受信し、センサデータに関連付けられた１つまたは複数の検証値を算出するように構成された検証エンジンのブロック図である。
【図９】本開示の一実施形態にしたがって、１つまたは複数の検証値およびコンテキスト情報に基づいて、ユーザが電子デバイスにアクセスすることを可能にするかどうかを決定するように構成された検証管理ユニットのブロック図である。
【図１０】本開示の一実施形態にしたがって、センサデータに基づいて、１つまたは複数の検証値を算出するように構成された検証エンジンによって遂行される方法のフローチャートである。
【図１１】本開示の一実施形態にしたがって、１つまたは複数の検証値およびコンテキスト情報に基づいて、電子デバイスへのアクセスを可能にするかどうかを決定するように構成された検証管理ユニットによって遂行される方法のフローチャートである。
【図１２】本開示の一実施形態にしたがって、電子デバイスへのアクセスを可能にするためにユーザを検証するための方法および装置がインプリメントされうる例証的な電子デバイスのブロック図である。
【詳細な説明】
【００１１】
[0022]ここで様々な実施形態への参照が詳細になされ、その例が添付の図面中に例示される。以下の詳細な説明では、多数の特定の詳細が、この開示の発明の態様の完全な理解を提供するために記載される。しかしながら、この開示の発明の態様がこれらの特定の詳細なしに実施されうることは、当業者にとって明らかであろう。他の事例では、良く知られている方法、プロシージャ、システム、およびコンポーネントは、様々な実施形態の態様を不必要に曖昧にしないように、詳細には説明されていない。
【００１２】
[0023]図１は、本開示の一実施形態にしたがって、電子デバイス１２０のセンサデータおよびコンテキスト情報に基づいて、電子デバイス１２０へのアクセスを可能にするためにユーザ１１０を検証するように構成された電子デバイス１２０を例示している。示されているように、電子デバイス１２０は、画像センサ１３０および音センサ１４０を装備されうる。ユーザ１１０は、電子デバイス１２０にアクセスするための所定のコマンドを発声しうる。例えば、電子デバイス１２０がロックまたは非アクティブ化されたモードである間に、ユーザ１１０は、電子デバイス１２０をロック解除またはアクティブ化するために、電子デバイス１２０にアクセスするための所定のコマンドを発声しうる。電子デバイス１２０は、音センサ１４０を介してコマンドを含む入力音を受信し、画像センサ１３０を介してユーザ１１０の１つまたは複数の画像をキャプチャしうる。ここに例示されるように、電子デバイス１２０は、スマートフォン、デジタルカメラ（例えば、ＤＳＬＲカメラ）、ウェアラブルコンピュータ（例えば、スマートグラス、スマートウォッチ、等）、パーソナルコンピュータ、ラップトップコンピュータ、タブレットコンピュータ、ゲーミングデバイス、等のような、画像および音を受信および処理するように適合された任意の適したデバイスでありうる。ここで使用される場合、電子デバイスの「コンテキスト情報」という用語は、電子デバイスの環境条件（例えば、輝度レベル、音レベル、等）、電子デバイスのユーザのアクティビティ（例えば、動作（act）、動き、発話、等）、電子デバイスのロケーションまたは電力状態、および／または電子デバイス中のイベント（例えば、メッセージ、電子メール、電話の呼、等）に関連付けられたセキュリティレベルを説明するまたは特徴付ける任意のデータまたは情報でありうる。
【００１３】
[0024]電子デバイス１２０は、センサデータとして、音センサ１４０を介して所定のコマンドを含む入力音、および画像センサ１３０を介してユーザを示す１つまたは複数の画像（例えば、顔、唇、手、等）を受信しうる。音センサ１４０によって受信される入力音は、ユーザ１１０からの所定のコマンドを示す音と環境音とを含みうる。同様に、１つまたは複数の画像は、ユーザ１１０のインジケーション、および電子デバイス１２０またはユーザ１１０にとっての環境のインジケーション（例えば、電子デバイス１２０またはユーザの背景画像）を含みうる。一実施形態では、ユーザ１１０を示す１つまたは複数の画像は、所定のコマンドに対応するユーザ１１０の唇の動きを示す複数の画像を含みうる。加えてまたは代替として、ユーザ１１０は、動きまたはジェスチャ（例えば、手または顔のジェスチャ）を行うことによって、電子デバイス１２０にアクセスするための所定のコマンドを発行しえ、それは、センサデータとして使用するために、１つまたは複数の画像としてキャプチャされうる。電子デバイス１２０は、画像センサ１３０および音センサ１４０とともに示されているが、図３を参照してより詳細に説明されることになるように、それはまた、他のタイプのセンサデータを受信するように適合された任意の他のセンサを含みうる。
【００１４】
[0025]画像センサ１３０および音センサ１４０からセンサデータを受信すると、電子デバイス１２０は、センサデータに基づいて、電子デバイス１２０のコンテキスト情報を決定しうる。例えば、電子デバイス１２０のコンテキスト情報は、画像センサ１３０からの画像データの品質および音センサ１４０からの音データの品質のインジケーションを含みうる。一実施形態では、電子デバイス１２０は、画像センサ１３０および音センサ１４０からのセンサデータのデータ品質を示す１つまたは複数の信頼度値を算出しうる。画像センサ１３０および音センサ１４０からのセンサデータについてのデータ品質を示す信頼度値はその後、電子デバイス１２０へのアクセスを認可するかどうかを決定するための、電子デバイス１２０のコンテキスト情報として使用されうる。
【００１５】
[0026]一実施形態にしたがって、電子デバイス１２０は、鮮明度値、輝度値、コントラスト値、彩度値、等のような、画像の１つまたは複数の画像パラメータに基づいて、ユーザ１１０の１つまたは複数の画像についての信頼度値を決定しうる。例えば、ユーザ１１０の画像についての信頼度値は、その画像の画像パラメータを基準画像の基準画像パラメータと比較することによって決定されえ、それは、ユーザ１１０を含みうる。そのような比較に基づいて、電子デバイス１２０は、様々な環境条件下で撮られた画像についての信頼度値を算出しうる。例えば、低信頼度値が、低可視条件（例えば、低光条件）下で撮られた画像について算出されうるが、その一方で高信頼度値が、最適な照明条件下で撮られた画像について決定されうる。
【００１６】
[0027]複数の画像のケースでは、信頼度値が、それら画像の各々について決定され、平均信頼度値が、それら画像についての信頼度値として使用されうる。代替として、最も高い信頼度値を有するそれら画像のうちの１つが選択され、選択された画像の信頼度値がそれら画像の信頼度値として使用されうる。以下により詳細に説明されることになるように、電子デバイス１２０は、ユーザ１１０が電子デバイス１２０にアクセスすることを認可されるかどうかを決定する際に、画像センサ１３０または画像の信頼度を示すコンテキスト情報として１つまたは複数の画像に関連付けられた信頼度値を使用しうる。
【００１７】
[0028]加えて、電子デバイス１２０は、センサデータとして音センサ１４０から受信される入力音についての信頼度値を決定しうる。一実施形態では、入力音中の、所定のコマンドに対応するユーザ１１０の発話対背景音または雑音（例えば、環境音）のＳＮＲ（信号対雑音比）が、入力音についての信頼度値として算出および使用されうる。加えてまたは代替として、入力音中のユーザ１１０の発話の大きさレベルおよび／または入力音中の雑音レベルが、入力音についての信頼度値として算出および使用されうる。以下により詳細に説明されることになるように、電子デバイス１２０は、ユーザ１１０が電子デバイス１２０にアクセスすることを認可されるかどうかを決定する際に、音センサ１４０または入力音の信頼度を示すコンテキスト情報として入力音に関連付けられた信頼度値を使用しうる。電子デバイス１２０は、画像センサ１３０および音センサ１４０からのセンサデータに基づいて、電子デバイス１２０のコンテキスト情報を決定するが、それはまた、他のタイプのセンサデータに基づいてコンテキスト情報を決定しえ、それは、図６を参照してより詳細に説明されることになるように、任意の他のセンサから受信されうる。
【００１８】
[0029]電子デバイス１２０のコンテキスト情報に基づいて、電子デバイス１２０は、複数の検証ユニットから１つまたは複数の検証ユニットを選択しえ、それらは、電子デバイス１２０中に含まれうる。検証ユニットの各々は、ユーザ１１０が電子デバイス１２０にアクセスすることを認可されるかどうかを検証することが可能でありうる。一実施形態にしたがって、電子デバイス１２０中の複数の検証ユニットは、顔検証ユニット、音声検証ユニット、唇の動き検証ユニットを含みえ、それらは、コンテキスト情報に基づいて選択されうる。例えば、ユーザ１１０の画像についての信頼度値が所定の信頼度しきい値以上であり、入力音についての信頼度値が所定の信頼度しきい値より低い場合、電子デバイス１２０は、電子デバイス１２０へのアクセスを可能にするためにユーザ１１０を検証する際に使用するために、顔検証ユニットおよび唇の動き検証ユニットを選択しうる。このケースでは、音声検証ユニットは、入力音の低信頼度値に起因して選択されないことがありうる。電子デバイス１２０は、顔検証ユニット、音声検証ユニット、および唇の動き検証ユニットを含むものとして説明されるが、それはまた、図４を参照してより詳細に説明されることになるように、ユーザ１１０が電子デバイス１２０にアクセスすることを認可されるかどうかを検証するための任意の他の検証ユニットを含みうる。
【００１９】
[0030]電子デバイス１２０中の選択された検証ユニットは、センサデータに基づいて、ユーザ１１０についての１つまたは複数の検証値を算出しうる。ここで使用される場合、検証値は、電子デバイス１２０にアクセスするための所定のコマンドまたは認可されたユーザのうちの少なくとも１つを示しうる。例えば、検証値は、ユーザ１１０が電子デバイス１２０にアクセスすることを認可されたユーザである確率を示す値またはスコアでありうる。加えてまたは代替として、検証値はまた、ユーザ１１０からの入力コマンドが電子デバイス１２０にアクセスするための所定のコマンドである確率を示す値またはスコアでありうる。
【００２０】
[0031]一実施形態にしたがって、選択された検証ユニットの各々は、検証ユニットに関連付けられたセンサデータに基づいて、検証値を算出しうる。例えば、顔検証ユニットおよび唇の動き検証ユニットが選択される場合、顔検証ユニットおよび唇の動き検証ユニットの各々は、センサデータとして画像センサから１つまたは複数の画像を受信し、受信された画像に基づいて、ユーザ１１０についての検証値を算出しうる。顔検証ユニットによって算出される検証値は、画像中のユーザ１１０が認可されたユーザである確率および／または画像中の顔の表情または手のジェスチャが電子デバイス１２０にアクセスするための所定のコマンドを示す顔の表情または手のジェスチャである確率を示しうる。その一方で、唇の動き検証ユニットによって算出される検証値は、画像中のユーザ１１０の唇の動きが所定のコマンドを示す唇の動きである確率を示しうる。
【００２１】
[0032]コンテキスト情報および選択された検証ユニットからの検証値に基づいて、電子デバイス１２０は、コンテキスト情報に基づいて、選択された検証ユニットについての１つまたは複数の重みを決定しうる。一実施形態では、顔検証ユニット、音声検証ユニット、および唇の動き検証ユニットは、ユーザ１１０の１つまたは複数の画像についての高信頼度値および入力音についての高信頼度値に基づいて選択されうる。このケースでは、電子デバイス１２０は、コンテキスト情報に基づいて、顔検証ユニット、音声検証ユニット、および唇の動き検証ユニットの各々についての重みを割り当てうる。例えば、画像についての信頼度値が入力音についての信頼度値より大きい場合、顔検証ユニットおよび唇の動き検証ユニットによって算出された検証値について割り当てられる重みは、音声検証ユニットによって算出された検証値について割り当てられる重みより大きいことがありうる。このように、電子デバイス１２０は、検証ユニットについての入力センサデータの信頼度値にしたがって、選択された検証ユニットの各々に重みを割り当てうる。
【００２２】
[0033]選択された検証ユニットおよび選択された検証ユニットに関連付けられた１つまたは複数の重みによって１つまたは複数の検証値を決定すると、電子デバイス１２０は、検証値の各々についての重み付けされた検証値を決定しうる。例えば、電子デバイス１２０は、検証値と関連する重みとを乗算することによって、検証値の各々についての重み付けされた検証値を算出しうる。一実施形態では、電子デバイス１２０はその後、重み付けされた検証値を合計することによって、選択された検証ユニットについての重み付けされた検証値を生成しうる。選択された検証ユニットについての重み付けされた検証値に基づいて、電子デバイス１２０は、ユーザ１１０が電子デバイス１２０にアクセスすることを認可されるかどうかを決定しうる。例えば、選択された検証ユニットについての重み付けされた検証値が所定のしきい値検証値以上である場合、電子デバイス１２０は、ユーザ１１０が電子デバイス１２０にアクセスすることを可能にしうる。
【００２３】
[0034]図２は、本開示の一実施形態にしたがって、センサデータおよびコンテキスト情報に基づいて、ユーザが電子デバイス１２０にアクセスすることを認可されるかどうかを検証するように構成された電子デバイス１２０のブロック図である。電子デバイス１２０は、センサユニット２１０、Ｉ／Ｏユニット２２０、記憶ユニット２３０、通信ユニット２４０、およびプロセッサ２５０を含みうる。プロセッサ２５０は、コンテキスト情報決定ユニット２５２、検証エンジン２５４、および検証管理ユニット２５６を含みうる。
【００２４】
[0035]センサユニット２１０は、図３を参照してより詳細に説明されることになるように、画像センサ１３０、音センサ１４０、指紋スキャナ、タッチセンサ、動きセンサ、電力センサ、およびロケーションセンサ、等のような複数のセンサを含むように構成されうる。センサユニット２１０は、入力音、ユーザの１つまたは複数の画像、ユーザまたは電子デバイス１２０の環境条件または動き、等のような１つまたは複数の入力を受信し、受信された入力からセンサデータを生成しうる。センサユニット２１０は、１つまたは複数の入力を継続的または周期的にモニタするように構成されうる。代替として、１つまたは複数の入力は、ユーザからの入力または入力の一部分が検出されたときに受信されうる。センサデータは、電子デバイス１２０にアクセスするためのユーザのコマンドまたは認可されたユーザを検出し、電子デバイス１２０のコンテキスト情報を決定する際に使用するために、プロセッサ２５０に提供されうる。
【００２５】
[0036]Ｉ／Ｏユニット２２０は、ユーザからコマンドを受信および／またはユーザについての情報を出力するように構成されうる。ここに説明されるように、Ｉ／Ｏユニット２２０は、コマンドを受信および／または情報を出力することが可能な任意の適したデバイスでありうる。一実施形態では、Ｉ／Ｏユニット２２０は、タッチスクリーン、ボタン、キーパッド、タッチパッド、等のような入力ユニットと、ディスプレイスクリーン、スピーカ、バイブレータ、等のような出力ユニットとを含みうる。いくつかの実施形態では、タッチセンサのような、センサユニット２１０中の１つまたは複数のセンサが、Ｉ／Ｏユニット２２０中に提供されうる。
【００２６】
[0037]電子デバイス１２０中の記憶ユニット２３０は、電子デバイス１２０にアクセスするための１つまたは複数の所定のコマンドのコマンドデータベースを記憶しうる。コマンドデータベースは、電子デバイス１２０へのアクセスを認可するかどうかを検証するための、プロセッサ２５０中の検証エンジン２５４によってアクセスされうる。コマンドデータベースは、１つまたは複数の所定の顔の表情またはジェスチャ、１つまたは複数の所定の手のジェスチャ、１つまたは複数の所定の唇の動き、１つまたは複数の所定のキーワード、電子デバイス１２０の動きの１つまたは複数のパターン、等を含みうる。加えてまたは代替として、コマンドデータベースは、外部の記憶デバイス中に記憶され、通信ネットワーク上で通信ユニット２４０を介してアクセスされうる。
【００２７】
[0038]いくつかの実施形態では、記憶ユニット２３０は、セキュリティレベルデータベースを記憶しえ、それは、電子デバイス１２０のコンテキスト情報を決定する際に使用するための、プロセッサ２５０中のコンテキスト情報決定ユニット２５２によってアクセされうる。セキュリティレベルデータベースは、複数のセキュリティレベルを複数の所定のロケーションおよびイベントに割り当てうる。例えば、異なるセキュリティレベルが、ユーザの家、ユーザの職場、公的なロケーション、等に、それらのロケーションに関連付けられた所望のプライバシーレベルに基づいて割り当てられうる。同様に、異なるセキュリティレベルが、メッセージ、電子メール、電話の呼、等のような異なるイベントに、そのようなイベントに関連付けられたプライバシーレベルにしたがって割り当てられうる。一実施形態では、所定のロケーションまたはイベントに関連付けられたセキュリティレベルは、選択されうる検証ユニットの数を調整するために使用されうる。記憶ユニット２３０は、ＲＡＭ（ランダムアクセスメモリ）、ＲＯＭ（読取専用メモリ）、ＥＥＰＲＯＭ（登録商標）（電気的消去可能プログラマブル読取専用メモリ）、フラッシュメモリ、またはＳＳＤ（ソリッドステートドライブ）のような任意の適した記憶またはメモリデバイスを使用してインプリメントされうる。
【００２８】
[0039]プロセッサ２５０中のコンテキスト情報決定ユニット２５２は、センサユニット２１０からセンサデータを受信し、センサデータに基づいて、電子デバイス１２０のコンテキスト情報を決定するように構成されうる。一実施形態では、電子デバイス１２０のコンテキスト情報は、図７を参照してより詳細に説明されることになるように、センサユニット２１０中の画像センサ１３０、音センサ１４０、指紋スキャナ、動きセンサ、電力センサ、ロケーションセンサのような１つまたは複数のセンサからのセンサデータに基づいて決定されうる。加えて、コンテキスト情報決定ユニット２５２は、プロセッサ２５０から、メッセージの受信、電子メールの受信、等のような所定のイベントの通知を受信し、記憶ユニット２３０中のセキュリティレベルデータベースに基づいて、そのイベントについてのセキュリティレベルを決定しうる。このケースでは、イベントに関連付けられたセキュリティレベルは、電子デバイス１２０のコンテキスト情報中に含まれうる。コンテキスト情報はその後、プロセッサ２５０中の検証管理ユニット２５６に提供されうる。
【００２９】
[0040]検証エンジン２５４は、図４を参照してより詳細に説明されることになるように、顔検証ユニット、音声検証ユニット、唇の動き検証ユニット、パスコード検証ユニット、指紋検証ユニット、網膜検証ユニット、動き検証ユニット、およびジェスチャ検証ユニットのような複数の検証ユニットを含みうる。検証エンジン２５４中の検証ユニットの各々は、センサユニット２１０から検証ユニットに関連付けられたセンサデータを受信し、センサデータに基づいて、１つまたは複数の検証値を算出するように構成されうる。例えば、検証ユニットから出力される検証値は、検証ユニットによって受信されたセンサデータが電子デバイス１２０にアクセスすることを認可されたユーザを示す確率を示しうる。加えてまたは代替として、検証ユニットによって生成される検証値は、検証ユニットによって受信されたセンサデータ中の入力コマンドが電子デバイス１２０にアクセスするための所定のコマンドである確率を示しうる。
【００３０】
[0041]検証管理ユニット２５６は、コンテキスト情報決定ユニット２５２から電子デバイス１２０のコンテキスト情報を受信し、検証エンジン２５４中の複数の検証ユニットから１つまたは複数の検証ユニットを選択しうる。一実施形態にしたがって、１つまたは複数の検証ユニットは、センサデータの１つまたは複数の信頼度値に基づいて、検証エンジン２５４中の複数の検証ユニットから選択されえ、それは、コンテキスト情報中に含まれうる。別の実施形態にしたがって、検証管理ユニット２５６は、ロケーションまたはイベントに関連付けられたセキュリティレベルを含む、電子デバイス１２０のコンテキスト情報を受信しうる。このケースでは、選択された検証ユニットまたは複数の検証ユニットからの所定の数の検証ユニットが、セキュリティレベルに基づいて選択されうる。
【００３１】
[0042]検証管理ユニット２５６はその後、選択された検証ユニットを示す１つまたは複数の信号を生成し、それら信号を検証エンジン２５４に送信しえ、それは、選択された検証ユニットをそれに応答してアクティブ化しうる。代替として、検証管理ユニット２５６は、検証エンジン２５４中の選択された検証ユニットをアクティブ化しうる。アクティブ化されると、検証エンジン２５４中の選択された検証ユニットの各々は、検証ユニットに関連付けられたセンサデータに基づいて、検証値を算出しうる。検証エンジン２５４はその後、選択された検証ユニットによって生成された検証値を検証管理ユニット２５６に提供しうる。
【００３２】
[0043]検証エンジン２５４から１つまたは複数の検証値を、およびコンテキスト情報決定ユニット２５２から電子デバイス１２０のコンテキスト情報を受信すると、検証管理ユニット２５６は、電子デバイス１２０へのアクセスを認可するかどうかを決定しうる。このプロセスでは、検証管理ユニット２５６は、電子デバイス１２０のコンテキスト情報に基づいて、選択された検証値の各々に重みを割り当て、検証値の各々についての重み付けされた検証値を算出しうる。例えば、検証値の各々についての重み付けされた検証値は、検証値と関連する重みとを乗算することによって算出されうる。このケースでは、選択された検証ユニットについての重み付けされた検証値もまた、重み付けされた検証値を合計することによって生成されうる。検証管理ユニット２５６はその後、選択された検証ユニットについての重み付けされた検証値に基づいて、電子デバイス１２０へのアクセスを認可するかどうかを決定しうる。
【００３３】
[0044]図３は、本開示の一実施形態にしたがって、１つまたは複数の入力からセンサデータを生成し、センサデータをコンテキスト情報決定ユニット２５２および検証エンジン２５４に提供するように構成されたセンサユニット２１０の詳細なブロック図を例示している。センサユニット２１０は、画像センサ１３０、音センサ１４０、指紋スキャナ３１０、タッチセンサ３２０、ジャイロスコープ３３０、加速度計３４０、電力センサ３５０、およびロケーションセンサ３６０を含みうる。センサユニット２１０中のセンサ１３０、１４０、３１０、３２０、３３０、３４０、３５０、および３６０は、１つまたは複数の入力を受信し、センサデータを生成しえ、それは、コンテキスト情報決定ユニット２５２および検証エンジン２５４に提供されうる。
【００３４】
[0045]画像センサ１３０は、顔、目、唇、手、等のような、ユーザを含む１つまたは複数の画像をキャプチャしうる。１つまたは複数の画像はまた、電子デバイス１２０またはユーザの背景画像を含みうる。一実施形態にしたがって、画像センサ１３０は、ユーザが所定のコマンドを発声したときにユーザの唇の動きの複数の画像をキャプチャしうる。加えてまたは代替として、画像は、ユーザの手または顔のジェスチャのようなジェスチャまたは動きを含みうる。画像センサ１３０は、画像をセンサデータとしてプロセッサ２５０中のコンテキスト情報決定ユニット２５２および検証エンジン２５４に提供しうる。ここに説明されるように、画像センサ１３０は、シーンまたはオブジェクトの画像をキャプチャまたは感知することが可能な任意の適した画像感知デバイス（例えば、カメラまたはカメラモジュール）でありうる。
【００３５】
[0046]音センサ１４０は、入力音を受信し、入力音を音データに変換するように構成されえ、それは、センサデータとして出力されうる。音センサ１４０は、音入力を受信、キャプチャ、感知、および／または検出するために使用されることができる１つまたは複数のマイクロフォンまたは任意の他のタイプの音センサを含み、そのような機能のための任意の適したソフトウェアおよび／またはハードウェアを用いうる。一実施形態にしたがって、音センサ１４０は、電子デバイス１２０にアクセスするための、ユーザから発声される所定のコマンドを含む入力音を受信しうる。入力音はまた、背景音、雑音、等のような、電子デバイス１２０またはユーザの環境音を含みうる。入力音が受信されると、音センサ１４０は、センサデータを生成しえ、それは、コンテキスト情報決定ユニット２５２および検証エンジン２５４に提供されうる。
【００３６】
[0047]指紋スキャナ３１０は、指（例えば、指紋）をスキャンし、センサデータとして指の画像を生成するように構成されうる。一実施形態では、指紋スキャナ３１０は、ユーザの指が指紋スキャナ３１０によって検出されたときにユーザの指の画像を生成しうる。その画像は、指紋の１つまたは複数のパターン（例えば、弓状紋、蹄状紋、渦巻紋（an arch, a loop, a whorl）、等）または特徴（例えば、端点、分岐点、短点（a ridge ending, a bifurcation, a short ridge）、等）を含みえ、それらは、ユーザが電子デバイスにアクセスすることを認可されるかどうかを検証する際に使用されうる。指紋スキャナ３１０は、指を含む画像をセンサデータとしてコンテキスト情報決定ユニット２５２および検証エンジン２５４に提供しうる。
【００３７】
[0048]タッチセンサ３２０は、ユーザからタッチ入力を受信し、タッチ入力に対応するセンサデータを生成するように構成されうる。ユーザは、電子デバイス１２０へのアクセスに対するパスコードまたはパスワードを入力するために、タッチスクリーンのようなタッチセンサ３２０にタッチまたは接触しうる。タッチセンサ３２０は、パスコードまたはパスワードを検出しえ、それは、センサデータとして検証エンジン２５４に提供されうる。ここで使用される場合、タッチセンサ３２０は、電子デバイス１２０へのタッチ入力を受信、感知、および／または検出するために使用されることができる１つまたは複数の静電容量センサまたは任意の他のタイプのタッチセンサを含みうる。
【００３８】
[0049]ジャイロスコープ３３０および加速度計３４０は、電子デバイス１２０の方位および／または加速度をモニタし、センサデータとして電子デバイス１２０の方位または動きを示す幾何学的情報を生成するように構成されうる。ジャイロスコープ３３０は、電子デバイス１２０の動きを追跡するために、電子デバイス１２０の方位を検出しうる。加速度計３４０は、電子デバイス１２０の動きを追跡するために、電子デバイス１２０の加速度または方位を検出しうる。一実施形態では、検出された方位および／または加速度は、センサデータとして検証エンジン２５４およびコンテキスト情報決定ユニット２５２に提供されうる。加えてまたは代替として、検出された動きは、センサデータとして検証エンジン２５４およびコンテキスト情報決定ユニット２５２に提供されうる。
【００３９】
[0050]電力センサ３５０は、電子デバイス１２０中に含まれうる電力ソース（例えば、バッテリ）の状態をモニタするように構成されうる。一実施形態では、電力センサ３５０は、電力ソース中に残っている電力の量を感知または検出しうる。例えば、電力センサ３５０は、電力ソース中の残りの電力の量を継続的または周期的に検出することによって、電力ソースの状態をモニタしうる。電力ソース中の電力の残りの量を含む電力ソースの状態は、コンテキスト状態決定ユニット２５２にセンサデータとして提供されうる。
【００４０】
[0051]ロケーションセンサ３６０は、電子デバイス１２０の現在のロケーションを検出し、検出されたロケーションについてのロケーション情報をセンサデータとして出力するように構成されうる。一実施形態にしたがって、ロケーションセンサ３６０は、ＧＰＳロケーション情報を受信および使用しうる。加えてまたは代替として、ロケーションセンサ３６０は、Ｗｉ−Ｆｉアクセスポイントまたはセルタワー基地局から信号を受信し、受信された信号の各々の強度に基づいて、電子デバイス１２０のロケーションを検出しうる。このケースでは、ロケーション情報は、電子デバイス１２０の緯度、経度、および高度のセットを含みうる。ロケーションセンサ３６０は、ロケーション情報をコンテキスト情報決定ユニット２５２に提供しうる。
【００４１】
[0052]図４は、本開示の一実施形態にしたがって、センサユニット２１０からセンサデータを受信し、センサデータに基づいて、１つまたは複数の検証値を算出するように構成された検証エンジン２５４の詳細なブロック図である。示されているように、検証エンジン２５４は、顔検証ユニット４１０、音声検証ユニット４２０、唇の動き検証ユニット４３０、パスコード検証ユニット４４０、指紋検証ユニット４５０、網膜検証ユニット４６０、動き検証ユニット４７０、およびジェスチャ検証ユニット４８０を含みうる。検証ユニット４１０〜４８０の各々は、センサユニット２１０中のセンサのうちの少なくとも１つからセンサデータを受信し、電子デバイス１２０にアクセスするための所定のコマンドおよび／または認可されたユーザを示す検証値を算出するように構成されうる。一実施形態では、１つまたは複数の検証ユニットが検証管理ユニット２５６によって選択およびアクティブ化されると、検証ユニット４１０〜４８０の各々は、検証値を算出しえ、それは、検証管理ユニット２５６に提供されうる。
【００４２】
[0053]顔検証ユニット４１０は、検証管理ユニット２５６によって選択されることに応答してアクティブ化されうる。アクティブ化されると、顔検証ユニット４１０は、センサデータとして、画像センサ１３０からユーザの顔を含む画像を受信し、センサデータに関連付けられた検証値を算出しうる。一実施形態では、顔検証ユニット４１０によって算出される検証値は、画像中の顔が電子デバイス１２０にアクセスすることを認可されたユーザに対応する確率（例えば、可能性または類似性の度合い）を示しうる。例えば、顔検証ユニット４１０は、画像中のユーザの顔と、記憶ユニット２３０中に記憶されうるユーザの基準の顔との間の類似性を決定することによって、検証値を算出しうる。顔検証ユニット４１０は、検証値を検証管理ユニット２５６に提供しうる。
【００４３】
[0054]検証管理ユニット２５６によって選択およびアクティブ化されると、音声検証ユニット４２０は、センサデータに関連付けられた検証値を算出するために、音センサ１４０からセンサデータとして入力音を受信しうる。入力音は、電子デバイス１２０へのアクセスのための、ユーザから発声される入力コマンドと環境音または雑音とを含みうる。音声検証ユニット４２０によって算出される検証値は、入力音中の入力コマンドが記憶ユニット２３０からのコマンドデータベース中の所定のキーワードに対応する確率（例えば、可能性または類似性の度合い）を示しうる。例えば、音声検証ユニット４２０は、入力コマンドと所定のキーワードとの間の類似性に基づいて、検証値を算出しうる。音声検証ユニット４２０によって算出される検証値はその後、検証管理ユニット２５６に提供されうる。
【００４４】
[0055]唇の動き検証ユニット４３０は、唇の動き検証ユニット４３０が選択され、その後アクティブ化されることを示す信号を受信しうる。唇の動き検証ユニット４３０がアクティブ化されると、ユーザの唇の動きを含む複数の画像が、画像センサ１３０からセンサデータとして受信されうる。唇の動き検証ユニット４３０は、受信されたセンサデータに関連付けられた検証値を算出しうる。例えば、唇の動きは、入力コマンドに対応しえ、それは、電子デバイス１２０中の音センサ１４０の前でユーザによって発声されうる。唇の動き検証ユニット４３０によって算出される検証値は、画像中の唇の動きが記憶ユニット２３０からのコマンドデータベース中の所定の唇の動きに対応する確率（例えば、可能性または類似性の度合い）を示しうる。一実施形態では、唇の動き検証ユニット４３０は、画像中の唇の動きと、コマンドデータベース中の所定の唇の動きとを比較することによって、検証値を算出しうる。唇の動き検証ユニット４３０はその後、検証値を検証管理ユニット２５６に提供しうる。
【００４５】
[0056]パスコード検証ユニット４４０は、検証管理ユニット２５６によって選択およびアクティブ化されると、タッチセンサ３２０からパスコードを含むセンサデータを受信し、センサデータに関連付けられた検証値を算出しうる。センサデータはまた、パスワード、パターン、等を含みえ、それは、電子デバイス１２０にアクセスするための、タッチセンサ３２０を介したユーザによる入力でありうる。一実施形態では、パスコード検証ユニット４４０は、検証値を算出するために、センサデータ中のパスコードを記憶ユニット２３０中に記憶されうる所定のパスコードと比較しうる。例えば、センサデータ中のパスコードが所定のパスコードと同一であると決定される場合、検証値は、「１」を割り当てられうる。そうでない場合は、検証値は、「０」を割り当てられうる。パスコード検証ユニット４４０によって算出される検証値は、検証管理ユニット２５６に提供されうる。
【００４６】
[0057]指紋検証ユニット４５０は、検証管理ユニット２５６によって選択されることに応答してアクティブ化されうる。アクティブ化されると、指紋検証ユニット４５０は、指紋スキャナ３１０からセンサデータとして指紋を含む画像を受信し、センサデータに関連付けられた検証値を算出しうる。一実施形態では、指紋検証ユニット４５０は、画像中の指紋を検出し、指紋の１つまたは複数のパターン（例えば、弓状紋、蹄状紋、渦巻紋、等）または特徴（例えば、端点、分岐点、短点、等）を所定の指紋のパターンまたは特徴と比較しえ、それは、記憶ユニット２３０中に記憶されうる。そのような比較結果に基づいて、指紋検証ユニット４５０は、センサデータ中の指紋と所定の指紋との間の類似性を示す検証値を算出しうる。指紋検証ユニット４５０は、算出された検証値を検証管理ユニット２５６に提供しうる。
【００４７】
[0058]検証管理ユニット２５６によってアクティブ化されると、網膜検証ユニット４６０は、画像センサ１３０からセンサデータとしてユーザの目を含む画像を受信し、センサデータに関連付けられた検証値を算出しうる。網膜検証ユニット４６０によって算出される検証値は、画像中のユーザの目の網膜が所定の網膜である確率（例えば、可能性または類似性の度合い）を示しえ、それは、記憶ユニット２３０中に記憶されうる。一実施形態では、網膜検証ユニット４６０は、画像中の網膜と所定の網膜との間の類似性に基づいて、検証値を算出しうる。算出される検証値はその後、検証管理ユニット２５６に提供されうる。
【００４８】
[0059]検証管理ユニット２５６によって選択およびアクティブ化されると、動き検証ユニット４７０は、センサデータに関連付けられた検証値を算出するために、ジャイロスコープ３３０および／または加速度計３４０からセンサデータとして電子デバイス１２０の方位および／または加速度を受信するように構成されうる。動き検証ユニット４７０は、電子デバイス１２０の受信された方位／加速度に基づいて、電子デバイス１２０の動きを決定および追跡し、電子デバイス１２０の動きについての検証値を算出しうる。加えてまたは代替として、電子デバイス１２０の検出された動きは、ジャイロスコープ３３０および／または加速度計３４０から受信され、検証値を算出するために使用されうる。動き検証ユニット４７０によって算出される検証値は、電子デバイス１２０の検出された動きが記憶ユニット２３０からのコマンドデータベース中の動きの所定のパターンに対応する確率（例えば、可能性または類似性の度合い）を示しうる。一実施形態では、動き検証ユニット４７０は、検出された動きについての検証値を算出するために、電子デバイス１２０の検出された動きを動きの所定のパターンと比較しうる。動き検証ユニット４７０によって算出される検証値は、検証管理ユニット２５６に提供されうる。
【００４９】
[0060]検証管理ユニット２５６によってアクティブ化されると、ジェスチャ検証ユニット４８０は、センサデータとしてユーザの手のジェスチャを含む複数の画像を受信し、センサデータに関連付けられた検証値を算出しうる。ジェスチャ検証ユニット４８０によって算出される検証値は、画像中の顔の表情または手のジェスチャが記憶ユニット２３０からのコマンドデータベース中の所定の顔の表情または手のジェスチャに対応する確率（例えば、可能性または類似性の度合い）を示しうる。一実施形態では、ジェスチャ検証ユニット４８０は、画像中の顔の表情または手のジェスチャと所定の顔の表情または手のジェスチャとの間の類似性を示す検証値を算出するために、画像中の顔の表情または手のジェスチャを所定の顔の表情または手のジェスチャと比較しうる。算出される検証値はその後、検証管理ユニット２５６に提供されうる。
【００５０】
[0061]図５は、本開示の一実施形態にしたがって、電子デバイス１２０のコンテキスト情報およびセンサデータに基づいて、電子デバイス１２０へのアクセスを可能にするためにユーザを検証するための、電子デバイス１２０によって遂行される方法５００のフローチャートである。初めに、５１０において、プロセッサ２５０は、少なくとも画像センサ１３０および音センサ１４０を含みうるセンサユニット２１０中の複数のセンサからセンサデータを受信しうる。受信されたセンサデータは、コンテキスト情報決定ユニット２５２および検証エンジン２５４に提供されうる。５２０において、プロセッサ２５０中のコンテキスト情報決定ユニット２５２は、センサデータに基づいて、電子デバイス１２０のコンテキスト情報を決定しうる。
【００５１】
[0062]５３０において、検証管理ユニット２５６は、電子デバイスのコンテキスト情報を受信し、検証エンジン２５４中の複数の検証ユニットから少なくとも１つの検証ユニットを選択しうる。検証ユニットの各々は、ユーザが電子デバイス１２０にアクセスすることを認可されるかどうかを検証することが可能である。検証管理ユニット２５６によって選択およびアクティブ化されると、５４０において、検証エンジン２５４中の少なくとも１つの検証ユニットは、センサデータに基づいて、ユーザについての少なくとも１つの検証値を算出しうる。５５０において、少なくとも１つの検証値およびコンテキスト情報に基づいて、検証管理ユニット２５６は、ユーザが電子デバイス１２０にアクセスすることを可能にするかどうかを決定しうる。このプロセスでは、検証管理ユニット２５６は、コンテキスト情報に基づいて、少なくとも１つの検証値についての少なくとも１つの重みを決定しうる。
【００５２】
[0063]図６は、本開示の一実施形態にしたがって、センサユニット２１０からのセンサデータおよび所定のイベント３７０の通知を受信し、電子デバイス１２０のコンテキスト情報を決定するように構成されたコンテキスト情報決定ユニット２５２のブロック図である。コンテキスト情報決定ユニット２５２は、センサデータに関連付けられたコンテキスト情報を決定するために、センサユニット２１０中の画像センサ１３０、音センサ１４０、指紋スキャナ３１０、ジャイロスコープ３３０、加速度計３４０、電力センサ３５０、およびロケーションセンサ３６０からセンサデータを受信しうる。加えて、メッセージの受信、電子メールの受信、着呼、等のような所定のイベントの通知がプロセッサ２５０から受信され、イベントに関連付けられたセキュリティレベルを示すコンテキスト情報が決定されうる。いくつかの実施形態にしたがって、コンテキスト情報決定ユニット２５２は、電子デバイス１２０のコンテキスト情報を決定するために、記憶ユニット２３０中のセキュリティレベルデータベースにアクセスしうる。
【００５３】
[0064]コンテキスト情報決定ユニット２５２は、画像センサ１３０からセンサデータとしてユーザを含む１つまたは複数の画像（例えば、顔、唇、目、等）を受信し、センサデータに関連付けられた画像コンテキスト情報を決定しうる。加えて、コンテキスト情報決定ユニット２５２は、指紋スキャナ３１０からセンサデータとしてユーザの指紋を含む１つまたは複数の画像を受信し、センサデータに関連付けられたコンテキスト情報を決定しうる。画像センサ１３０または指紋スキャナ３１０から受信される画像についてのコンテキスト情報は、画像の品質または信頼度のインジケーションを含みうる。
【００５４】
[0065]一実施形態にしたがって、コンテキスト情報決定ユニット２５２は、画像センサ１３０または指紋スキャナ３１０から受信されるセンサデータのデータ品質を示す信頼度値を算出しうる。例えば、コンテキスト情報決定ユニット２５２は、鮮明度値、輝度値、コントラスト値、彩度値、等のような、画像品質を示す画像の１つまたは複数のパラメータに基づいて、画像の信頼度値を決定しうる。画像の信頼度値を算出するために、画像パラメータは、記憶ユニット２３０中に記憶されうるユーザの基準の指紋またはユーザを含む基準画像の１つまたは複数の基準画像パラメータと比較されうる。例えば、信頼度値は、画像パラメータと、基準画像の対応する画像パラメータとの間の類似性の度合いを示しうる。コンテキスト情報決定ユニット２５２はその後、画像に関連付けられたコンテキスト情報を検証管理ユニット２５６に提供しうる。
【００５５】
[0066]音コンテキスト情報を決定するために、コンテキスト情報決定ユニット２５２は、音センサ１４０からセンサデータとして入力音を受信しうる。入力音は、ユーザからの発話コマンドと環境音または雑音（例えば、背景音）とを含みうる。一実施形態では、コンテキスト情報決定ユニット２５２は、入力音中の発話コマンド対環境音または雑音のＳＮＲ、入力音中の発話コマンドの大きさレベル、および／または入力音中の雑音レベルを算出することによって、入力音についての音品質を示す信頼度値を決定しうる。例えば、低信頼度値が、雑音に満ちた環境（例えば、デパート、野球場、等）中にいるユーザによって発声されるコマンドを含む入力音について算出されうるが、その一方で高信頼度値が、静かな環境（例えば、図書館）中にいるユーザによって発声されるコマンドを含む入力音について算出されうる。コンテキスト情報決定ユニット２５２はその後、入力音についての信頼度値をコンテキスト情報として検証管理ユニット２５６に提供しうる。
【００５６】
[0067]電子デバイス１２０の動きについてのコンテキスト情報を決定するために、コンテキスト情報決定ユニット２５２は、ジャイロスコープ３３０および／または加速度計３４０からセンサデータとして電子デバイス１２０の方位および／または加速度を受信しうる。受信されたセンサデータに基づいて、電子デバイス１２０の動きが検出されうる。コンテキスト情報決定ユニット２５２はその後、電子デバイス１２０の検出された動きからのセンサデータに関連付けられたコンテキスト情報を決定しうる。一実施形態では、コンテキスト情報決定ユニット２５２は、ジャイロスコープ３３０および／または加速度計３４０からのセンサデータの動き品質を示す信頼度値を決定しうる。例えば、検出された動きについての信頼度値は、電子デバイス１２０の動きの継続性または規則性に基づいて算出されうる。検出された動きが断続的、不規則、および／またはランダムであると決定される場合、低信頼度値が、電子デバイス１２０の動きについて算出されうる。検出された動きに関連付けられた信頼度値はその後、コンテキスト情報として検証管理ユニット２５６に提供されうる。
【００５７】
[0068]電力状態についてのコンテキスト情報を決定するために、コンテキスト情報決定ユニット２５２は、センサデータとして、電子デバイス１２０についての電力ソース（例えば、バッテリ）の状態を受信しうる。電力状態を示すセンサデータは、電力ソース中に残っている電力の量を含みうる。一実施形態では、コンテキスト情報決定ユニット２５２は、電力ソースの残りの電力が所定のしきい値電力より少ないかどうかを示すコンテキスト情報を決定しうる。このケースでは、コンテキスト情報は、電力ソースの残りの電力に基づいて、電力デバイス１２０についての低電力状態または通常電力状態を示しうる。電子デバイス１２０の電力状態についてのコンテキスト情報はその後、検証管理ユニット２５６に提供されうる。
【００５８】
[0069]ロケーションコンテキスト情報を決定するために、コンテキスト情報決定ユニット２５２は、センサデータとして電子デバイス１２０の現在のロケーションについてのロケーション情報を受信しうる。このプロセスでは、コンテキスト情報決定ユニット２５２は、複数の所定のロケーション（例えば、家のユーザ、ユーザの職場、公的なロケーション、等）をプライバシーレベルを示す複数のセキュリティレベルにマッピングしうる、記憶ユニット２３０中のセキュリティレベルデータベースにアクセスしうる。電子デバイス１２０の現在のロケーションに関連付けられたセキュリティレベルは、セキュリティレベルデータベースから取り出され、ロケーションコンテキスト情報として検証管理ユニット２５６に提供されうる。
【００５９】
[0070]イベントコンテキスト情報を決定するために、コンテキスト情報決定ユニット２５２は、プロセッサ２５０から所定のイベント３７０の通知を受信しうる。このプロセスでは、コンテキスト情報決定ユニット２５２は、複数のイベント（例えば、メッセージの受信、電子メールの受信、等）を複数のセキュリティレベルにマッピングしうる、記憶ユニット２３０中のセキュリティレベルデータベースにアクセスしうる。セキュリティレベルデータベースでは、異なるセキュリティレベルが、イベントに関連付けられたプライバシーレベルに基づいて、異なるイベントに割り当てられうる。コンテキスト情報決定ユニット２５２は、電子デバイス１２０のコンテキスト情報中に含まれうる受信されたイベントに関連付けられたセキュリティレベルを取り出しうる。決定されたセキュリティレベルはその後、イベントコンテキスト情報として検証管理ユニット２５６に提供されうる。
【００６０】
[0071]図７は、本開示の一実施形態にしたがって、検証エンジン２５４中の複数の検証ユニット４１０、４２０、および４３０から、電子デバイス１２０のコンテキスト情報に基づいて、１つまたは複数の検証ユニットを選択するように構成された検証管理ユニット２５６のブロック図である。コンテキスト情報は、図６を参照して上述されたように、コンテキスト情報決定ユニット２５２から受信されうる。検証エンジン２５４は、検証ユニット４１０、４２０、および４３０を含むものとして例示されているが、それはまた、上述されたように、検証ユニット４４０、４５０、４６０、４７０、および４８０を含みうる。
【００６１】
[0072]コンテキスト情報決定ユニット２５２から、検証管理ユニット２５６は、１つまたは複数の画像のデータ品質を示す１つまたは複数の信頼度値を含むコンテキスト情報を受信しうる。画像の信頼度値に基づいて、検証管理ユニット２５６は、顔検証ユニット４１０および唇の動き検証ユニット４３０を選択するかどうかを決定しうる。例えば、信頼度値がしきい値信頼度値以上である場合、顔検証ユニット４１０および唇の動き検証ユニット４３０が選択されうる。代替として、異なるしきい値信頼度値が、顔検証ユニット４１０および唇の動き検証ユニット４３０に関連付けられうる。このケースでは、顔検証ユニット４１０および唇の動き検証ユニット４３０は、関連するしきい値に基づいて選択されうる。同様に、検証管理ユニット２５６は、コンテキスト情報決定ユニット２５２から受信される音コンテキスト情報に基づいて、音声検証ユニット４２０が選択されるかどうかを決定しうる。このケースでは、音コンテキスト情報は、音センサ１４０からセンサデータとして受信される入力音についての信頼度値を含みうる。
【００６２】
[0073]いくつかの実施形態では、検証管理ユニット２５６は、コンテキスト情報決定ユニット２５２から電子デバイス１２０の電力状態を示すコンテキスト情報を受信しうる。コンテキスト情報は、電子デバイス１２０の残りの電力が所定のしきい値電力より少ないかどうかを示す情報を含みうる。残りの電力が所定のしきい値電力より少ないことをコンテキスト情報が示す場合、検証管理ユニット２５６は、他の検証ユニットより少ない電力を必要としうる１つまたは複数の所定の検証ユニットを選択しうる。例えば、検証管理ユニット２５６は、音声検証ユニット４２０を選択しえ、それは、顔検証ユニット４１０および唇の動き検証ユニット４３０より少ない電力を必要としうる。
【００６３】
[0074]検証管理ユニット２５６は加えて、電子デバイス１２０の現在のロケーションについてのロケーションコンテキスト情報を受信しうる。コンテキスト情報は、電子デバイス１２０のロケーションに関連付けられたセキュリティレベルを含みうる。同様に、検証管理ユニット２５６は、イベントコンテキスト情報として、メッセージの受信、電子メールの受信、着呼、等のような所定のイベントに関連付けられたセキュリティレベルを受信しうる。所定のイベントまたは電子デバイス１２０のロケーションに関連付けられたセキュリティレベルを示すコンテキスト情報を受信すると、検証管理ユニット２５６は、複数の検証ユニット４１０、４２０、および４３０間のセキュリティレベルに関連付けられた所定の数の検証ユニットまたは所定の検証ユニットを選択しうる。例えば、セキュリティレベルが高い場合、セキュリティレベルに関連付けられた検証ユニットの所定の数は、高いことがありうる。このケースでは、検証管理ユニット２５６は、検証エンジン２５４中の顔検証ユニット４１０、音声検証ユニット４２０、および唇の動き検証ユニット４３０を選択しうる。その一方で、セキュリティレベルが低い場合、より低い数の検証ユニットが検証エンジン２５４から選択されうる。検証エンジン２５４中の１つまたは複数の検証ユニットが選択されると、検証管理ユニット２５６は、１つまたは複数のアクティブ化信号を生成しえ、それは、選択された検証ユニットをアクティブ化するために、選択された検証ユニットまたは検証エンジン２５４に提供されうる。
【００６４】
[0075]図８は、本開示の一実施形態にしたがって、センサデータを受信し、センサデータに関連付けられた１つまたは複数の検証値を算出するように構成された検証エンジン２５４のブロック図である。センサデータは、通信ネットワークを介して通信ユニット２４０を通じて外部のデバイスから、またはセンサユニット２１０から受信されうる。示されているように、検証エンジン２５４は、顔検証ユニット４１０、音声検証ユニット４２０、および唇の動き検証ユニット４３０を含みうる。音声検証ユニット４２０は、話者検証ユニット８１０およびキーワード検証ユニット８２０を含みうる。検証エンジン２５４は、検証ユニット４１０、４２０、および４３０を含むものとして例示されているが、それはまた、上述されたように、検証ユニット４４０、４５０、４６０、４７０、および４８０を含みうる。
【００６５】
[0076]検証エンジン２５４は、画像センサ１３０から、顔検証ユニット４１０および唇の動き検証ユニット４３０に提供されうるセンサデータとして、ユーザの顔を含む１つまたは複数の画像を受信しうる。一実施形態では、顔検証ユニット４１０および唇の動き検証ユニット４３０の各々は、検証管理ユニット２５６によって選択およびアクティブ化されると、１つまたは複数の画像を受信しうる。ユーザの画像を受信した後で、顔検証ユニット４１０は、受信された画像中のユーザの顔と、記憶ユニット２３０中に記憶されうるユーザの基準の顔との間の類似性の度合いに基づいて、ユーザについての検証値を算出しうる。受信された画像から、唇の動き検証ユニット４３０は、ユーザについての検証値を算出するために、画像中のユーザの唇の動きを検出し、検出された唇の動きを記憶ユニット２３０からのコマンドデータベース中の所定の唇の動きと比較しうる。顔検証ユニット４１０および唇の動き検証ユニット４３０によって算出される検証値の各々は、検証管理ユニット２５６に提供されうる。
【００６６】
[0077]一実施形態では、検証管理ユニット２５６によって選択およびアクティブ化されると、音声検証ユニット４２０は、音センサ１４０からセンサデータとして入力音を受信しうる。入力音は、電子デバイスにアクセスするためにユーザから発声されうる所定のコマンドと環境音または雑音とを含みうる。入力音を受信すると、音声検証ユニット４２０中の話者検証ユニット８１０は、認可されたユーザを示す検証値を算出しうる。検証値は、所定のコマンドを発声したことがありうるユーザの音声が認可されたユーザの音声に対応する確率を示す値またはスコアでありうる。例えば、話者検証ユニット８１０は、入力音の１つまたは複数の特徴を抽出し、抽出された特徴を記憶ユニット２３０中に記憶されうる認可されたユーザを示す基準の特徴（例えば、話者モデル）と比較することによって、検証値を算出しうる。話者検証ユニット８１０によって算出される検証値はその後、検証管理ユニット２５６に提供されうる。
【００６７】
[0078]加えてまたは代替として、音声検証ユニット４２０中のキーワード検証ユニット８２０は、受信された入力音に基づいて、所定のキーワードを示す検証値を算出しうる。キーワード検証ユニット８２０によって算出される検証値は、入力音中のユーザのコマンドが記憶ユニット２３０からのコマンドデータベース中の所定のキーワードに対応する確率（例えば、類似性の度合い）を示しうる。例えば、キーワード検証ユニット８２０は、検証値を算出するために、入力音中のコマンドと所定のキーワードとの間の類似性を決定しうる。キーワード検証ユニット８２０は、所定のキーワードに関連付けられた検証値を検証管理ユニット２５６に提供しうる。
【００６８】
[0079]いくつかの実施形態にしたがって、音声検証ユニット４２０は、話者検証ユニット８１０およびキーワード検証ユニット８２０によって算出される検証値に基づいて、入力音に関連付けられた検証値を決定しうる。例えば、音声検証ユニット４２０は、話者検証ユニット８１０およびキーワード検証ユニット８２０によって算出される検証値を平均化することによって、入力音についての検証値を算出しうる。算出される検証値はその後、検証管理ユニット２５６に提供されうる。
【００６９】
[0080]図９は、本開示の一実施形態にしたがって、１つまたは複数の検証値およびコンテキスト情報に基づいて、ユーザが電子デバイス１２０にアクセスすることを可能にするかどうかを決定するように構成された検証管理ユニット２５６のブロック図である。示されているように、検証管理ユニット２５６は、検証ユニット選択コントローラ９１０およびアクセスアクティブ化ユニット９２０を含みうる。検証管理ユニット２５６は、コンテキスト情報決定ユニット２５２から電子デバイス１２０のコンテキスト情報を受信しうる。コンテキスト情報を受信すると、検証ユニット選択コントローラ９１０は、図７を参照して上述されたように、コンテキスト情報に基づいて、検証エンジン２５４中の１つまたは複数の検証ユニットを選択し、検証エンジン２５４中の選択された検証ユニットをアクティブ化しうる。それに応答して、選択された検証ユニットは、図４および８を参照して上述されたように、センサデータに基づいて１つまたは複数の検証値を算出し、検証値を検証管理ユニット２５６に提供しうる。
【００７０】
[0081]選択された検証ユニットによって算出される１つまたは複数の検証値を受信すると、検証管理ユニット２５６中のアクセスアクティブ化ユニット９２０は、検証値およびコンテキスト情報に基づいて、電子デバイス１２０へのアクセスを認可するかどうかを決定しうる。このプロセスでは、アクセスアクティブ化ユニット９２０は、コンテキスト情報に基づいて、検証値についての１つまたは複数の重みを決定し、検証値の各々についての重み付けされた検証値を算出しうる。いくつかの実施形態にしたがって、検証管理ユニット２５６は、検証値の各々についての重みを決定するために、コンテキスト情報としてセンサデータについての１つまたは複数の信頼度値を受信しうる。信頼度値は、ユーザの１つまたは複数の画像、入力音、または電子デバイス１２０の動きについての信頼度値のうちの少なくとも１つを含みうる。重みは、検証ユニットに関連付けられたセンサデータについての信頼度値に基づいて、検証ユニットによって算出される検証値に割り当てられうる。例えば、電子デバイス１２０の動きについての信頼度値が入力音についての信頼度値より大きい場合、動き検証ユニット４７０によって算出された検証値について割り当てられる重みは、音声検証ユニット４２０によって算出された検証値について割り当てられる重みより大きいことがありうる。
【００７１】
[0082]受信された検証値に関連付けられた１つまたは複数の重みを決定すると、アクセスアクティブ化ユニット９２０は、検証値の各々についての重み付けされた検証値を決定しうる。一実施形態では、アクセスアクティブ化ユニット９２０は、検証値と関連する重みとを乗算することによって、検証値の各々についての重み付けされた検証値を算出しうる。アクセスアクティブ化ユニット９２０はその後、受信された検証値についての重み付けされた検証値を算出するために、重み付けされた検証値を合計しうる。重み付け検証値に基づいて、アクセスアクティブ化ユニット９２０は、電子デバイス１２０へのアクセスを認可するための検証結果を出力しうる。例えば、検証値についての重み付けされた検証値が所定のしきい値検証値以上であると決定される場合、アクセスアクティブ化ユニット９２０は、ユーザが電子デバイス１２０にアクセスすることを可能にするために、電子デバイス１２０をアクティブ化またはロック解除しうる。
【００７２】
[0083]一実施形態では、アクセスアクティブ化ユニット９２０は、コンテキスト情報決定ユニット２５２から、セキュリティレベルを含むイベントコンテキスト情報および／またはロケーションコンテキスト情報を受信しうる。セキュリティレベルに基づいて、アクセスアクティブ化ユニット９２０は、検証値についての重み付けされた検証値と比較されうる所定のしきい値検証値を調整しうる。例えば、セキュリティレベルが高い場合、所定のしきい値検証値は、より高くなるように調整されうる。その一方で、セキュリティレベルが低い場合、アクセスアクティブ化ユニット９２０は、所定のしきい値検証値を下げうる。
【００７３】
[0084]図１０は、本開示の一実施形態にしたがって、センサデータに基づいて、１つまたは複数の検証値を算出するように構成された検証エンジン２５４によって遂行される方法１０００のフローチャートである。１０１０において、検証エンジン２５４は、検証管理ユニット２５６から、１つまたは複数の検証ユニットを示す１つまたは複数の信号を受信しえ、それは、電子デバイス１２０のコンテキスト情報に基づいて選択されうる。検証管理ユニット２５６から信号を受信すると、１０２０において、検証エンジン２５４は、選択された検証ユニットに関連付けられた１つまたは複数のセンサからセンサデータを受信するために、選択された検証ユニットをアクティブ化しうる。
【００７４】
[0085]１０３０において、選択された検証ユニットの各々は、検証ユニットに関連付けられたセンサデータに基づいて、検証値を算出しうる。例えば、顔検証ユニット４１０は、画像センサ１３０からセンサデータとしてユーザを含む画像を受信し、画像についての検証値を算出しうる。１０４０において、算出された検証値はその後、検証管理ユニット２５６に提供されえ、それは、ユーザが電子デバイス１２０にアクセスすることを認可されるかどうかを検証しうる。
【００７５】
[0086]図１１は、本開示の一実施形態にしたがって、１つまたは複数の検証値およびコンテキスト情報に基づいて、電子デバイス１２０へのアクセスを可能にするかどうかを決定するように構成された検証管理ユニット２５６によって遂行される方法１１００のフローチャートである。初めに、１１１０において、検証管理ユニット２５６は、検証エンジン２５４から検証値を受信しうる。このケースでは、検証値は、１つまたは複数の検証ユニットによって算出されえ、それは、検証管理ユニット２５６によって選択およびアクティブ化されうる。
【００７６】
[0087]１１２０において、検証管理ユニット２５６は、選択された検証ユニットについての１つまたは複数の重みを算出しうる。一実施形態では、重みは、検証ユニットの各々または検証ユニットに関連付けられた検証値に割り当てられうる。１１３０において、検証値および重みに基づいて、検証管理ユニット２５６は、検証値についての重み付けされた検証値を算出しうる。例えば、検証値の各々についての重み付けされた検証値は、検証値と関連する重みとを乗算することによって算出され、検証値についての重み付けされた検証値はその後、重み付けされた検証値を合計することによって生成されうる。
【００７７】
[0088]１１４０において、方法１１００は、検証値についての重み付けされた検証値が所定のしきい値検証値以上であるかどうかを決定しうる。重み付けされた検証値が所定のしきい値検証値以上であると決定される場合（すなわち、１１４０においてＹＥＳ）、方法は、検証管理ユニット２５６が電子デバイス１２０へのアクセスを認可する１つまたは複数の信号をユーザのために生成しうる１１５０に進みうる。そうでない場合は（すなわち、１１４０においてＮＯ）、検証管理ユニット２５６は、電子デバイス１２０へのアクセスを否定する１つまたは複数の信号をユーザのために生成しうる。
【００７８】
[0089]図１２は、本開示の一実施形態にしたがって、電子デバイスへのアクセスを可能にするためにユーザを検証するための方法および装置である例証的な電子デバイスのブロック図である。電子デバイス１２００の構成は、図１〜１１を参照して説明された上記の実施形態にしたがった電子デバイス中でインプリメントされうる。電子デバイス１２００は、セルラ電話、スマートフォン、タブレットコンピュータ、ラップトップコンピュータ、端末、ハンドセット、携帯情報端末（ＰＤＡ）、ワイヤレスモデム、コードレス電話、等でありうる。ワイヤレス通信システムは、符号分割多元接続（ＣＤＭＡ）システム、モバイル通信のためのブロードキャストシステム（ＧＳＭ（登録商標））システム、広帯域ＣＤＭＡ（ＷＣＤＭＡ（登録商標））システム、ロングタームエボリューション（ＬＴＥ（登録商標））システム、ＬＴＥ Ａｄｖａｎｃｅｄシステム、等でありうる。さらに、電子デバイス１２００は、例えば、Ｗｉ−Ｆｉ ＤｉｒｅｃｔまたはＢｌｕｅｔｏｏｔｈ（登録商標）を使用して、別のモバイルデバイスと直接通信しうる。
【００７９】
[0090]電子デバイス１２００は、受信パスおよび送信パスを介して双方向通信を提供することが可能である。受信パス上で、基地局によって送信された信号は、アンテナ１２１２によって受信され、受信機（ＲＣＶＲ）１２１４に提供される。受信機１２１４は、受信された信号を調整（condition）およびデジタル化し、さらなる処理のために、調整およびデジタル化されたデジタル信号のようなサンプルをデジタルセクションに提供する。送信パス上で、送信機（ＴＭＴＲ）１２１６は、送信されるデータをデジタルセクション１２１０から受信し、そのデータを処理および調整し、変調された信号を生成し、それは、アンテナ１２１２を介して基地局に送信される。受信機１２１４および送信機１２１６は、ＣＤＭＡ、ＧＳＭ、ＬＴＥ、ＬＴＥ Ａｄｖａｎｃｅｄ、等をサポートしうるトランシーバの一部でありうる。
【００８０】
[0091]デジタルセクション１２１０は、例えば、モデムプロセッサ１２２２、縮小命令セットコンピュータ／デジタルシグナルプロセッサ（ＲＩＳＣ／ＤＳＰ）１２２４、コントローラ／プロセッサ１２２６、内部メモリ１２２８、汎用オーディオ／ビデオエンコーダ１２３２、汎用オーディオデコーダ１２３４、グラフィックス／ディスプレイプロセッサ１２３６、および外部バスインターフェース（ＥＢＩ）１２３８のような様々な処理、インターフェース、およびメモリのユニットを含む。モデムプロセッサ１２２２は、データの送信および受信のための処理、例えば、符号化、変調、復調、および復号、を遂行しうる。ＲＩＳＣ／ＤＳＰ１２２４は、電子デバイス１２００のための汎用および専用の処理を遂行しうる。コントローラ／プロセッサ１２２６は、デジタルセクション１２１０内の様々な処理およびインターフェースのユニットの動作を遂行しうる。内部メモリ１２２８は、デジタルセクション１２１０内の様々なユニットのためのデータおよび／または命令を記憶しうる。
【００８１】
[0092]汎用オーディオ／ビデオエンコーダ１２３２は、オーディオ／ビデオソース１２４２、マイクロフォン１２４４、画像センサ１２４６、等からの入力信号に対する符号化を遂行しうる。汎用オーディオデコーダ１２３４は、コード化されたオーディオデータに対する復号を遂行し、出力信号をスピーカ／ヘッドセット１２４８に提供しうる。グラフィックス／ディスプレイプロセッサ１２３６は、グラフィックス、ビデオ、画像、およびテキストに対する処理を遂行しえ、それらは、ディスプレイユニット１２５０に表示されうる。ＥＢＩ１２３８は、デジタルセクション１２１０とメインメモリ１２５２との間でのデータの転送を容易にしうる。
【００８２】
[0093]デジタルセクション１２１０は、１つまたは複数のプロセッサ、ＤＳＰ、マイクロプロセッサ、ＲＩＳＣ、等を用いてインプリメントされうる。デジタルセクション１２１０はまた、１つまた複数の特定用途向け集積回路（ＡＳＩＣ）および／または何らかの他のタイプの集積回路（ＩＣ）上で組み立てられうる。
【００８３】
[0094]一般に、ここに説明された任意のデバイスは、ワイヤレス電話、セルラ電話、ラップトップコンピュータ、ワイヤレスマルチメディアデバイス、ワイヤレス通信パーソナルコンピュータ（ＰＣ）カード、ＰＤＡ、外部または内部モデム、ワイヤレスチャネルを通じて通信するデバイス、等のような、様々なタイプのデバイスを表しうる。デバイスは、アクセス端末（ＡＴ）、アクセスユニット、加入者ユニット、モバイル局、モバイルデバイス、モバイルユニット、モバイル電話、モバイル、リモート局、リモート端末、リモートユニット、ユーザデバイス、ユーザ機器、ハンドヘルドデバイス、等のような様々な名称を有しうる。ここに説明された任意のデバイスは、命令およびデータを記憶するためのメモリ、ならびにハードウェア、ソフトウェア、ファームウェア、またはそれらの組み合わせを有しうる。
【００８４】
[0095]ここに説明された技法は、様々な手段によってインプリメントされうる。例えば、これらの技法は、ハードウェア、ファームウェア、ソフトウェア、またはそれらの組み合わせ中でインプリメントされうる。当業者はさらに、ここでの開示に関連して説明された様々な例示的な論理ブロック、モジュール、回路、およびアルゴリズムステップが、電子ハードウェア、コンピュータソフトウェア、または両方の組み合せとしてインプリメントされうることを認識するであろう。ハードウェアとソフトウェアとのこの互換性を明確に例示するために、様々な例示的なコンポーネント、ブロック、モジュール、回路、およびステップが、概してそれらの機能の観点から上述されてきた。そのような機能がハードウェアとしてインプリメントされるか、またはソフトウェアとしてインプリメントされるかは、特定のアプリケーションおよびシステム全体に課せられた設計制約に依存する。当業者は、説明された機能を特定のアプリケーションごとに様々な方法でインプリメントしうるが、そのようなインプリメンテーションの決定は、本開示の範囲からの逸脱を引き起こしていると解釈されるべきではない。
【００８５】
[0096]ハードウェアインプリメンテーションの場合、技法を遂行するために使用される処理ユニットは、１つまたは複数のＡＳＩＣ、ＤＳＰ、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子デバイス、ここに説明された機能を遂行するように設計された他の電子ユニット、コンピュータ、またはそれらの組み合わせ内でインプリメントされうる。
【００８６】
[0097]このことから、ここでの開示に関連して説明された様々な例示的な論理ブロック、モジュール、および回路は、汎用プロセッサ、ＤＳＰ、ＡＳＩＣ、ＦＰＧＡまたは他のプログラマブルロジックデバイス、離散ゲートまたはトランジスタロジック、離散ハードウェアコンポーネント、あるいはここに説明された機能を遂行するように設計されたそれらの任意の組み合わせを用いて、インプリメントまたは遂行される。汎用プロセッサは、マイクロプロセッサでありうるが、代替では、そのプロセッサは、任意の従来のプロセッサ、コントローラ、マイクロコントローラ、またはステートマシンでありうる。プロセッサはまた、コンピューティングデバイスの組み合わせ、例えば、ＤＳＰとマイクロプロセッサとの組み合わせ、複数のマイクロプロセッサ、ＤＳＰコアと連携した１つまたは複数のマイクロプロセッサ、あるいは任意の他のそのような構成としてインプリメントされうる。
【００８７】
[0098]ソフトウェア中でインプリメントされる場合、それら機能は、コンピュータ可読媒体上で、１つまたは複数の命令あるいはコードとして送信または記憶されうる。コンピュータ可読媒体は、ある場所から別の場所へのコンピュータプログラムの転送を容易にする任意の媒体を含む通信媒体とコンピュータ記憶媒体との両方を含む。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用されることができ、コンピュータによってアクセスされることができる任意の他の媒体を備えることができる。ディスク（disk）およびディスク（disc）は、ここで使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれるべきである。
【００８８】
[0099]本開示の先の説明は、当業者が本開示を製造または使用することを可能にするために提供される。本開示に対する様々な修正は、当業者にとって容易に明らかとなり、ここに定義された包括的な原理は、本開示の精神または範囲から逸脱することなしに他の変形に適用される。このことから、本開示は、ここに説明された例に限定されるようには意図されず、ここに開示された原理および新規の特徴と一致する最も広い範囲を付与されるべきである。
【００８９】
[00100]例証的なインプリメンテーションは、１つまたは複数のスタンドアロンコンピュータシステムのコンテキストにおいて、本開示の主題の態様を利用することを言及されているが、主題は、それに限定されず、むしろ、ネットワークまたは分散されたコンピューティング環境のような任意のコンピューティング環境に関連してインプリメントされうる。またさらに、本開示の主題の態様は、複数の処理チップまたはデバイス中で、またはそれらにわたって、インプリメントされ、記憶装置も同様に、複数のデバイスにわたって影響されうる。そのようなデバイスは、ＰＣ、ネットワークサーバ、およびハンドヘルドデバイスを含みうる。
【００９０】
[0101]主題は、構造上の特徴および／または方法論的動作（methodological act）に特有の言語で説明されてきたが、添付された特許請求の範囲中で定義された主題は、上述された特定の特徴または動作に必ずしも限定されないことが理解されるべきである。むしろ、上述された特定の特徴および動作は、特許請求の範囲をインプリメントする実例的な形態として開示されている。
＜本開示の態様＞
【００９１】
[0102]以下において、本開示のいくつかの態様が加えて記載されることになる。
【００９２】
[0103]（例１）本開示のある態様にしたがって、電子デバイスへのアクセスを可能にするためにユーザを検証するための、電子デバイスによって遂行される方法が提供され、方法は、複数のセンサからセンサデータを受信することと、ここにおいて、複数のセンサは、少なくとも画像センサおよび音センサを含み、センサデータに基づいて、電子デバイスのコンテキスト情報を決定することと、コンテキスト情報に基づいて、複数の検証ユニットから少なくとも１つの検証ユニットを選択することと、ここにおいて、複数の検証ユニットの各々は、ユーザが電子デバイスにアクセスすることを認可されるかどうかを検証することが可能であり、少なくとも１つの選択された検証ユニットが、画像センサまたは音センサのうちの少なくとも１つからのセンサデータに基づいて、少なくとも１つの検証値を算出することと、ここにおいて、少なくとも１つの検証値の各々は、認可されたユーザまたは所定のアクセスコマンドのうちの少なくとも１つを示し、少なくとも１つの検証値およびコンテキスト情報に基づいて、ユーザが電子デバイスにアクセスすることを可能にするかどうかを決定することとを含む。
【００９３】
[0104]（例２）例１の方法では、複数のセンサからセンサデータを受信することは、画像センサから、第１のセンサデータを受信することと、ここにおいて、第１のセンサデータは、ユーザを示す少なくとも１つの画像を含み、音センサから、第２のセンサデータを受信することと、ここにおいて、第２のセンサデータは、ユーザからの音または環境音のうちの少なくとも１つを示す入力音を含む、を含む。
【００９４】
[0105]（例３）例１または２の方法では、電子デバイスのコンテキスト情報を決定することは、第１のセンサデータまたは第２のセンサデータのうちの少なくとも１つのデータ品質を示す少なくとも１つの信頼度値を算出することを含む。
【００９５】
[0106]（例４）例１〜３のうちのいずれか１つの方法では、複数の検証ユニットから少なくとも１つの検証ユニットを選択することは、少なくとも１つの信頼度値に基づいて、複数の検証ユニットから少なくとも１つの検証ユニットを選択することを含む。
【００９６】
[0107]（例５）例１〜４のうちのいずれか１つの方法では、電子デバイスの電力状態をモニタすることがさらに含まれ、電子デバイスのコンテキスト情報を決定することは、電子デバイスの電力状態に少なくとも基づいて、コンテキスト情報を決定することを含む。
【００９７】
[0108]（例６）例１〜５のうちのいずれか１つの方法では、電子デバイスのコンテキスト情報を決定することは、セキュリティレベルに関連付けられたイベントを検出することと、イベントに関連付けられたセキュリティレベルに少なくとも基づいて、コンテキスト情報を決定することとを含む。
【００９８】
[0109]（例７）例１〜６のうちのいずれか１つの方法では、複数のセンサは、加速度計またはジャイロスコープのうちの少なくとも１つを含み、加速度計またはジャイロスコープのうちの少なくとも１つからのセンサデータは、電子デバイスの動きを示す。
【００９９】
[0110]（例８）例１〜７のうちのいずれか１つの方法では、複数のセンサは、ロケーションセンサを含み、ロケーションセンサからのセンサデータは、電子デバイスのロケーションを示す。
【０１００】
[0111]（例９）例１〜８のうちのいずれか１つの方法では、ユーザが電子デバイスにアクセスすることを可能にするかどうかを決定することは、コンテキスト情報に基づいて、少なくとも１つの重みを少なくとも１つの選択された検証ユニットに割り当てることと、少なくとも１つの検証値および少なくとも１つの重みに基づいて、ユーザが電子デバイスにアクセスすることを可能にするかどうかを決定することとを含む。
【０１０１】
[0112]（例１０）例１〜９のうちのいずれか１つの方法では、複数の検証ユニットは、顔検証ユニット、唇の動き検証ユニット、音声検証ユニット、パスコード検証ユニット、指紋検証ユニット、および網膜検証ユニットのうちの少なくとも２つを含む。
【０１０２】
[0113]（例１１）例１〜１０のうちのいずれか１つの方法では、所定のアクセスコマンドは、キーワード、動きのパターン、唇の動き、または顔の表情のうちの少なくとも１つを含む。
【０１０３】
[0114]（例１２）本開示の別の態様にしたがって、電子デバイスへのアクセスを可能にするためにユーザを検証するための電子デバイスが提供され、電子デバイスは、複数のセンサからセンサデータを受信するように構成されたプロセッサを含み、複数のセンサは、少なくとも画像センサおよび音センサを含み、プロセッサは、センサデータに基づいて、電子デバイスのコンテキスト情報を決定するように構成されたコンテキスト情報決定ユニットと、コンテキスト情報に基づいて、複数の検証ユニットから少なくとも１つの検証ユニットを選択するように構成された検証管理ユニットと、ここにおいて、複数の検証ユニットの各々は、ユーザが電子デバイスにアクセスすることを認可されるかどうかを検証することが可能であり、複数の検証ユニットを含む検証管理エンジンと、ここにおいて、少なくとも１つの選択された検証ユニットが、画像センサまたは音センサのうちの少なくとも１つからのセンサデータに基づいて、少なくとも１つの検証値を算出するように構成され、少なくとも１つの検証値の各々は、認可されたユーザまたは所定のアクセスコマンドのうちの少なくとも１つを示す、を含み、検証管理ユニットは、少なくとも１つの検証値およびコンテキスト情報に基づいて、ユーザが電子デバイスにアクセスすることを可能にするかどうかを決定するように構成される。
【０１０４】
[0115]（例１３）例１２の電子デバイスでは、プロセッサは、画像センサから、第１のセンサデータを受信することと、ここにおいて、第１のセンサデータは、ユーザを示す少なくとも１つの画像を含み、音センサから、第２のセンサデータを受信することと、ここにおいて、第２のセンサデータは、ユーザからの音または環境音のうちの少なくとも１つを示す入力音を含む、を行うように構成される。
【０１０５】
[0116]（例１４）例１２または１３の電子デバイスでは、コンテキスト情報決定ユニットは、第１のセンサデータまたは第２のセンサデータのうちの少なくとも１つのデータ品質を示す少なくとも１つの信頼度値を算出するように構成される。
【０１０６】
[0117]（例１５）例１２〜１４のうちのいずれか１つの電子デバイスでは、検証管理ユニットは、少なくとも１つの信頼度値に基づいて、複数の検証ユニットから少なくとも１つの検証ユニットを選択するように構成される。
【０１０７】
[0118]（例１６）例１２〜１５のうちのいずれか１つの電子デバイスでは、電子デバイスの電力状態をモニタするように構成された電力センサがさらに含まれ、コンテキスト情報決定ユニットは、電子デバイスの電力状態に少なくとも基づいて、コンテキスト情報を決定するように構成される。
【０１０８】
[0119]（例１７）例１２〜１６のうちのいずれか１つの電子デバイスでは、コンテキスト情報決定ユニットは、セキュリティレベルに関連付けられたイベントを検出することと、イベントに関連付けられたセキュリティレベルに少なくとも基づいて、コンテキスト情報を決定することとを行うように構成される。
【０１０９】
[0120]（例１８）例１２〜１７のうちのいずれか１つの電子デバイスでは、複数のセンサは、加速度計またはジャイロスコープのうちの少なくとも１つを含み、加速度計またはジャイロスコープのうちの少なくとも１つからのセンサデータは、電子デバイスの動きを示す。
【０１１０】
[0121]（例１９）例１２〜１８のうちのいずれか１つの電子デバイスでは、複数のセンサは、ロケーションセンサを含み、ロケーションセンサからのセンサデータは、電子デバイスのロケーションを示す。
【０１１１】
[0122]（例２０）例１２〜１９のうちのいずれか１つの電子デバイスでは、検証管理ユニットは、コンテキスト情報に基づいて、少なくとも１つの重みを少なくとも１つの選択された検証ユニットに割り当てることと、少なくとも１つの検証値および少なくとも１つの重みに基づいて、ユーザが電子デバイスにアクセスすることを可能にするかどうかを決定することとを行うように構成される。
【０１１２】
[0123]（例２１）例１２〜２０のうちのいずれか１つの電子デバイスでは、複数の検証ユニットは、顔検証ユニット、唇の動き検証ユニット、音声検証ユニット、パスコード検証ユニット、指紋検証ユニット、および網膜検証ユニットのうちの少なくとも２つを含む。
【０１１３】
[0124]（例２２）例１２〜２１のうちのいずれか１つの電子デバイスでは、所定のアクセスコマンドは、キーワード、動きのパターン、唇の動き、または顔の表情のうちの少なくとも１つを含む。
【０１１４】
[0125]（例２３）本開示のさらに別の態様にしたがって、電子デバイスが、電子デバイスへのアクセスを可能にするためにユーザを検証するための命令を含む非一時的コンピュータ可読記憶媒体が提供され、命令は、電子デバイスのプロセッサに、複数のセンサからセンサデータを受信することと、ここにおいて、複数のセンサは、少なくとも画像センサおよび音センサを含み、センサデータに基づいて、電子デバイスのコンテキスト情報を決定することと、コンテキスト情報に基づいて、複数の検証ユニットから少なくとも１つの検証ユニットを選択することと、ここにおいて、複数の検証ユニットの各々は、ユーザが電子デバイスにアクセスすることを認可されるかどうかを検証することが可能であり、少なくとも１つの選択された検証ユニットが、画像センサまたは音センサのうちの少なくとも１つからのセンサデータに基づいて、少なくとも１つの検証値を算出することと、ここにおいて、少なくとも１つの検証値の各々は、認可されたユーザまたは所定のアクセスコマンドのうちの少なくとも１つを示し、少なくとも１つの検証値およびコンテキスト情報に基づいて、ユーザが電子デバイスにアクセスすることを可能にするかどうかを決定することとを行う動作を遂行させる。
【０１１５】
[0126]（例２４）本開示のまた別の態様にしたがって、電子デバイスへのアクセスを可能にするためにユーザを検証するための電子デバイスが提供され、複数のセンサからセンサデータを受信するための手段と、ここにおいて、複数のセンサは、少なくとも画像センサおよび音センサを含み、センサデータに基づいて、電子デバイスのコンテキスト情報を決定するための手段と、コンテキスト情報に基づいて、複数の検証ユニットから少なくとも１つの検証ユニットを選択するための手段と、ここにおいて、複数の検証ユニットの各々は、ユーザが電子デバイスにアクセスすることを認可されるかどうかを検証することが可能であり、画像センサまたは音センサのうちの少なくとも１つからのセンサデータに基づいて、少なくとも１つの選択された検証ユニットの少なくとも１つの検証値を算出するための手段と、ここにおいて、少なくとも１つの検証値の各々は、認可されたユーザまたは所定のアクセスコマンドのうちの少なくとも１つを示し、少なくとも１つの検証値およびコンテキスト情報に基づいて、ユーザが電子デバイスにアクセスすることを可能にするかどうかを決定するための手段を含む。
【０１１６】
[0127]（例２５）例２４の電子デバイスでは、複数のセンサからセンサデータを受信するための手段は、画像センサから、第１のセンサデータを受信するための手段と、ここにおいて、第１のセンサデータは、ユーザを示す少なくとも１つの画像を含み、音センサから、第２のセンサデータを受信するための手段と、ここにおいて、第２のセンサデータは、ユーザからの音または環境音のうちの少なくとも１つを示す入力音を含む、を含む。
【０１１７】
[0128]（例２６）例２４または２５の電子デバイスでは、電子デバイスのコンテキスト情報を決定するための手段は、第１のセンサデータまたは第２のセンサデータのうちの少なくとも１つのデータ品質を示す少なくとも１つの信頼度値を算出するための手段を含む。
【０１１８】
[0129]（例２７）例２４〜２６のうちのいずれか１つの電子デバイスでは、複数の検証ユニットから少なくとも１つの検証ユニットを選択するための手段は、少なくとも１つの信頼度値に基づいて、複数の検証ユニットから少なくとも１つの検証ユニットを選択するための手段を含む。
【０１１９】
[0130]（例２８）例２４〜２７のうちのいずれか１つの電子デバイスでは、電子デバイスの電力状態をモニタするための手段がさらに含まれ、電子デバイスのコンテキスト情報を決定するための手段は、電子デバイスの電力状態に少なくとも基づいて、コンテキスト情報を決定するための手段を含む。
【０１２０】
[0131]（例２９）例２４〜２８のうちのいずれか１つの電子デバイスでは、電子デバイスのコンテキスト情報を決定するための手段は、セキュリティレベルに関連付けられたイベントを検出するための手段と、イベントに関連付けられたセキュリティレベルに少なくとも基づいて、コンテキスト情報を決定するための手段とを含む。
【０１２１】
[0132]（例３０）例２４〜２９のうちのいずれか１つの電子デバイスでは、ユーザが電子デバイスにアクセスすることを可能にするかどうかを決定するための手段は、コンテキスト情報に基づいて、少なくとも１つの選択された検証ユニットについての少なくとも１つの重みを決定するための手段と、少なくとも１つの検証値および少なくとも１つの重みに基づいて、ユーザが電子デバイスにアクセスすることを可能にするかどうかを決定するための手段とを含む。
【図１】
2018508868.tif 000003
【図２】
2018508868.tif 000004
【図３】
2018508868.tif 000005
【図４】
2018508868.tif 000006
【図５】
2018508868.tif 000007
【図６】
2018508868.tif 000008
【図７】
2018508868.tif 000009
【図８】
2018508868.tif 000010
【図９】
2018508868.tif 000011
【図１０】
2018508868.tif 000012
【図１１】
2018508868.tif 000013
【図１２】
2018508868.tif 000014
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
電子デバイスへのアクセスを可能にするためにユーザを検証するための、前記電子デバイスによって遂行される方法であって、前記方法は、
複数のセンサからセンサデータを受信することと、ここにおいて、前記複数のセンサは、少なくとも画像センサおよび音センサを含む、
前記センサデータに基づいて、前記電子デバイスのコンテキスト情報を決定することと、ここにおいて、前記コンテキスト情報は、前記複数のセンサの各々のデータ品質を示す少なくとも１つの信頼度値を含む、
前記少なくとも１つの信頼度値に基づいて、複数の検証ユニットから少なくとも１つの検証ユニットを選択することと、ここにおいて、前記複数の検証ユニットの各々は、前記ユーザが前記電子デバイスにアクセスすることを認可されるかどうかを検証することが可能である、
前記少なくとも１つの選択された検証ユニットが、前記画像センサまたは前記音センサのうちの少なくとも１つからの前記センサデータに基づいて、少なくとも１つの検証値を算出することと、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定することと
を備える、方法。
【請求項２】
前記複数のセンサから前記センサデータを受信することは、
前記画像センサから、第１のセンサデータを受信することと、ここにおいて、前記第１のセンサデータは、前記ユーザを示す少なくとも１つの画像を含む、
前記音センサから、第２のセンサデータを受信することと、ここにおいて、前記第２のセンサデータは、前記ユーザからの音または環境音のうちの少なくとも１つを示す入力音を含む、
を備える、請求項１に記載の方法。
【請求項３】
前記コンテキスト情報を決定することは、鮮明度値、輝度値、コントラスト値、または彩度値のうちの少なくとも１つに基づく、請求項１に記載の方法。
【請求項４】
前記コンテキスト情報を決定することは、画像パラメータを基準画像の少なくとも１つの基準画像パラメータと比較することを備える、請求項１に記載の方法。
【請求項５】
前記電子デバイスの電力状態をモニタすることをさらに備え、
前記電子デバイスの前記コンテキスト情報を決定することは、前記電子デバイスの前記電力状態に少なくとも基づいて、前記コンテキスト情報を決定することを備える、請求項１に記載の方法。
【請求項６】
前記電子デバイスの前記コンテキスト情報を決定することは、
セキュリティレベルに関連付けられたイベントを検出することと、
前記イベントに関連付けられた前記セキュリティレベルに少なくとも基づいて、前記コンテキスト情報を決定することと
を備える、請求項１に記載の方法。
【請求項７】
前記複数のセンサは、加速度計またはジャイロスコープのうちの少なくとも１つを含み、前記加速度計または前記ジャイロスコープのうちの前記少なくとも１つからの前記センサデータは、前記電子デバイスの動きを示す、請求項１に記載の方法。
【請求項８】
前記複数のセンサは、ロケーションセンサを含み、前記ロケーションセンサからの前記センサデータは、前記電子デバイスのロケーションを示す、請求項１に記載の方法。
【請求項９】
前記ユーザが前記電子デバイスにアクセスすることを可能にするかどうかを決定することは、
前記コンテキスト情報に基づいて、少なくとも１つの重みを前記少なくとも１つの選択された検証ユニットに割り当てることと、
前記少なくとも１つの検証値および前記少なくとも１つの重みに基づいて、前記ユーザが前記電子デバイスにアクセスすることを可能にするかどうかを決定することと
を備える、請求項１に記載の方法。
【請求項１０】
前記複数の検証ユニットは、顔検証ユニット、唇の動き検証ユニット、音声検証ユニット、パスコード検証ユニット、指紋検証ユニット、および網膜検証ユニットのうちの少なくとも２つを含む、請求項１に記載の方法。
【請求項１１】
前記所定のアクセスコマンドは、キーワード、動きのパターン、唇の動き、または顔の表情のうちの少なくとも１つを含む、請求項１に記載の方法。
【請求項１２】
電子デバイスへのアクセスを可能にするためにユーザを検証するための前記電子デバイスであって、
複数のセンサからセンサデータを受信するように構成されたプロセッサを備え、前記複数のセンサは、少なくとも画像センサおよび音センサを含み、前記プロセッサは、
前記センサデータに基づいて、前記電子デバイスのコンテキスト情報を決定するように構成されたコンテキスト情報決定ユニットと、ここにおいて、前記コンテキスト情報は、前記複数のセンサの各々のデータ品質を示す少なくとも１つの信頼度値を含む、
前記少なくとも１つの信頼度値に基づいて、複数の検証ユニットから少なくとも１つの検証ユニットを選択するように構成された検証管理ユニットと、ここにおいて、前記複数の検証ユニットの各々は、前記ユーザが前記電子デバイスにアクセスすることを認可されるかどうかを検証することが可能である、
前記複数の検証ユニットを含む検証エンジンと、ここにおいて、前記少なくとも１つの選択された検証ユニットは、前記画像センサまたは前記音センサのうちの少なくとも１つからの前記センサデータに基づいて、少なくとも１つの検証値を算出するように構成され、前記少なくとも１つの検証値の各々は、認可されたユーザまたは所定のアクセスコマンドのうちの少なくとも１つを示す、
を備え、前記検証管理ユニットは、前記少なくとも１つの検証値および前記コンテキスト情報に基づいて、前記ユーザが前記電子デバイスにアクセスすることを可能にするかどうかを決定するように構成される、電子デバイス。
【請求項１３】
前記プロセッサは、
前記画像センサから、第１のセンサデータを受信することと、ここにおいて、前記第１のセンサデータは、前記ユーザを示す少なくとも１つの画像を含む、
前記音センサから、第２のセンサデータを受信することと、ここにおいて、前記第２のセンサデータは、前記ユーザからの音または環境音のうちの少なくとも１つを示す入力音を含む、
を行うように構成される、請求項１２に記載の電子デバイス。
【請求項１４】
前記少なくとも１つの信頼度値は、鮮明度値、輝度値、コントラスト値、または彩度値のうちの少なくとも１つに基づいて決定される、請求項１２に記載の電子デバイス。
【請求項１５】
前記コンテキスト情報を決定することは、画像パラメータを基準画像の少なくとも１つの基準画像パラメータと比較することを備える、請求項１２に記載の電子デバイス。
【請求項１６】
前記電子デバイスの電力状態をモニタするように構成された電力センサをさらに備え、
前記コンテキスト情報決定ユニットは、前記電子デバイスの前記電力状態に少なくとも基づいて、前記コンテキスト情報を決定するように構成される、請求項１２に記載の電子デバイス。
【請求項１７】
前記コンテキスト情報決定ユニットは、
セキュリティレベルに関連付けられたイベントを検出することと、
前記イベントに関連付けられた前記セキュリティレベルに少なくとも基づいて、前記コンテキスト情報を決定することと
を行うように構成される、請求項１２に記載の電子デバイス。
【請求項１８】
前記複数のセンサは、加速度計またはジャイロスコープのうちの少なくとも１つを含み、前記加速度計または前記ジャイロスコープのうちの前記少なくとも１つからの前記センサデータは、前記電子デバイスの動きを示す、請求項１２に記載の電子デバイス。
【請求項１９】
前記複数のセンサは、ロケーションセンサを含み、前記ロケーションセンサからの前記センサデータは、前記電子デバイスのロケーションを示す、請求項１２に記載の電子デバイス。
【請求項２０】
前記検証管理ユニットは、
前記コンテキスト情報に基づいて、少なくとも１つの重みを前記少なくとも１つの選択された検証ユニットに割り当てることと、
前記少なくとも１つの検証値および前記少なくとも１つの重みに基づいて、前記ユーザが前記電子デバイスにアクセスすることを可能にするかどうかを決定することと
を行うように構成される、請求項１２に記載の電子デバイス。
【請求項２１】
前記複数の検証ユニットは、顔検証ユニット、唇の動き検証ユニット、音声検証ユニット、パスコード検証ユニット、指紋検証ユニット、および網膜検証ユニットのうちの少なくとも２つを含む、請求項１２に記載の電子デバイス。
【請求項２２】
前記所定のアクセスコマンドは、キーワード、動きのパターン、唇の動き、または顔の表情のうちの少なくとも１つを含む、請求項１２に記載の電子デバイス。
【請求項２３】
電子デバイスが、前記電子デバイスへのアクセスを可能にするためにユーザを検証するための命令を備える非一時的コンピュータ可読記憶媒体であって、前記命令は、前記電子デバイスのプロセッサに、
複数のセンサからセンサデータを受信することと、ここにおいて、前記複数のセンサは、少なくとも画像センサおよび音センサを含む、
前記センサデータに基づいて、前記電子デバイスのコンテキスト情報を決定することと、ここにおいて、前記コンテキスト情報は、前記複数のセンサの各々のデータ品質を示す少なくとも１つの信頼度値を含む、
前記少なくとも１つの信頼度値に基づいて、複数の検証ユニットから少なくとも１つの検証ユニットを選択することと、ここにおいて、前記複数の検証ユニットの各々は、前記ユーザが前記電子デバイスにアクセスすることを認可されるかどうかを検証することが可能である、
前記少なくとも１つの選択された検証ユニットが、前記画像センサまたは前記音センサのうちの少なくとも１つからの前記センサデータに基づいて、少なくとも１つの検証値を算出することと、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定することと
を行う動作を遂行させる、非一時的コンピュータ可読記憶媒体。
【請求項２４】
電子デバイスへのアクセスを可能にするためにユーザを検証するための前記電子デバイスであって、
複数のセンサからセンサデータを受信するための手段と、ここにおいて、前記複数のセンサは、少なくとも画像センサおよび音センサを含む、
前記センサデータに基づいて、前記電子デバイスのコンテキスト情報を決定するための手段と、ここにおいて、前記コンテキスト情報は、前記複数のセンサの各々のデータ品質を示す少なくとも１つの信頼度値を含む、
前記少なくとも１つの信頼度値に基づいて、複数の検証ユニットから少なくとも１つの検証ユニットを選択するための手段と、ここにおいて、前記複数の検証ユニットの各々は、前記ユーザが前記電子デバイスにアクセスすることを認可されるかどうかを検証することが可能である、
前記画像センサまたは前記音センサのうちの少なくとも１つからの前記センサデータに基づいて、前記少なくとも１つの選択された検証ユニットの少なくとも１つの検証値を算出するための手段と、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定するための手段と
を備える、電子デバイス。
【請求項２５】
前記複数のセンサから前記センサデータを前記受信するための手段は、
前記画像センサから、第１のセンサデータを受信するための手段と、ここにおいて、前記第１のセンサデータは、前記ユーザを示す少なくとも１つの画像を含む、
前記音センサから、第２のセンサデータを受信するための手段と、ここにおいて、前記第２のセンサデータは、前記ユーザからの音または環境音のうちの少なくとも１つを示す入力音を含む、
を備える、請求項２４に記載の電子デバイス。
【請求項２６】
前記コンテキスト情報を前記決定するための手段は、鮮明度値、輝度値、コントラスト値、または彩度値のうちの少なくとも１つに基づく、請求項２４に記載の電子デバイス。
【請求項２７】
前記コンテキスト情報を前記決定するための手段は、画像パラメータを基準画像の少なくとも１つの基準画像パラメータと比較するための手段を備える、請求項２４に記載の電子デバイス。
【請求項２８】
前記電子デバイスの電力状態をモニタするための手段をさらに備え、
前記電子デバイスの前記コンテキスト情報を前記決定するための手段は、前記電子デバイスの前記電力状態に少なくとも基づいて、前記コンテキスト情報を決定するための手段を備える、請求項２４に記載の電子デバイス。
【請求項２９】
前記電子デバイスの前記コンテキスト情報を前記決定するための手段は、
セキュリティレベルに関連付けられたイベントを検出するための手段と、
前記イベントに関連付けられた前記セキュリティレベルに少なくとも基づいて、前記コンテキスト情報を決定するための手段と
を備える、請求項２４に記載の電子デバイス。
【請求項３０】
前記ユーザが前記電子デバイスにアクセスすることを可能にするかどうかを前記決定するための手段は、
前記コンテキスト情報に基づいて、少なくとも１つの重みを前記少なくとも１つの選択された検証ユニットに割り当てるための手段と、
前記少なくとも１つの検証値および前記少なくとも１つの重みに基づいて、前記ユーザが前記電子デバイスにアクセスすることを可能にするかどうかを決定するための手段と
を備える、請求項２４に記載の電子デバイス。
【手続補正２】
【補正対象書類名】明細書
【補正対象項目名】０１２１
【補正方法】変更
【補正の内容】
【０１２１】
[0132]（例３０）例２４〜２９のうちのいずれか１つの電子デバイスでは、ユーザが電子デバイスにアクセスすることを可能にするかどうかを決定するための手段は、コンテキスト情報に基づいて、少なくとも１つの選択された検証ユニットについての少なくとも１つの重みを決定するための手段と、少なくとも１つの検証値および少なくとも１つの重みに基づいて、ユーザが電子デバイスにアクセスすることを可能にするかどうかを決定するための手段とを含む。
以下に本願の出願当初の特許請求の範囲に記載された発明を付記する。
［Ｃ１］
電子デバイスへのアクセスを可能にするためにユーザを検証するための、前記電子デバイスによって遂行される方法であって、前記方法は、
複数のセンサからセンサデータを受信することと、ここにおいて、前記複数のセンサは、少なくとも画像センサおよび音センサを含む、
前記センサデータに基づいて、前記電子デバイスのコンテキスト情報を決定することと、
前記コンテキスト情報に基づいて、複数の検証ユニットから少なくとも１つの検証ユニットを選択することと、ここにおいて、前記複数の検証ユニットの各々は、前記ユーザが前記電子デバイスにアクセスすることを認可されるかどうかを検証することが可能である、
前記少なくとも１つの選択された検証ユニットが、前記画像センサまたは前記音センサのうちの少なくとも１つからの前記センサデータに基づいて、少なくとも１つの検証値を算出することと、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定することと
を備える、方法。
［Ｃ２］
前記複数のセンサから前記センサデータを受信することは、
前記画像センサから、第１のセンサデータを受信することと、ここにおいて、前記第１のセンサデータは、前記ユーザを示す少なくとも１つの画像を含む、
前記音センサから、第２のセンサデータを受信することと、ここにおいて、前記第２のセンサデータは、前記ユーザからの音または環境音のうちの少なくとも１つを示す入力音を含む、
を備える、Ｃ１に記載の方法。
［Ｃ３］
前記電子デバイスの前記コンテキスト情報を決定することは、前記第１のセンサデータまたは前記第２のセンサデータのうちの少なくとも１つのデータ品質を示す少なくとも１つの信頼度値を算出することを備える、Ｃ２に記載の方法。
［Ｃ４］
前記複数の検証ユニットから前記少なくとも１つの検証ユニットを選択することは、前記少なくとも１つの信頼度値に基づいて、前記複数の検証ユニットから前記少なくとも１つの検証ユニットを選択することを備える、Ｃ３に記載の方法。
［Ｃ５］
前記電子デバイスの電力状態をモニタすることをさらに備え、
前記電子デバイスの前記コンテキスト情報を決定することは、前記電子デバイスの前記電力状態に少なくとも基づいて、前記コンテキスト情報を決定することを備える、Ｃ１に記載の方法。
［Ｃ６］
前記電子デバイスの前記コンテキスト情報を決定することは、
セキュリティレベルに関連付けられたイベントを検出することと、
前記イベントに関連付けられた前記セキュリティレベルに少なくとも基づいて、前記コンテキスト情報を決定することと
を備える、Ｃ１に記載の方法。
［Ｃ７］
前記複数のセンサは、加速度計またはジャイロスコープのうちの少なくとも１つを含み、前記加速度計または前記ジャイロスコープのうちの前記少なくとも１つからの前記センサデータは、前記電子デバイスの動きを示す、Ｃ１に記載の方法。
［Ｃ８］
前記複数のセンサは、ロケーションセンサを含み、前記ロケーションセンサからの前記センサデータは、前記電子デバイスのロケーションを示す、Ｃ１に記載の方法。
［Ｃ９］
前記ユーザが前記電子デバイスにアクセスすることを可能にするかどうかを決定することは、
前記コンテキスト情報に基づいて、少なくとも１つの重みを前記少なくとも１つの選択された検証ユニットに割り当てることと、
前記少なくとも１つの検証値および前記少なくとも１つの重みに基づいて、前記ユーザが前記電子デバイスにアクセスすることを可能にするかどうかを決定することと
を備える、Ｃ１に記載の方法。
［Ｃ１０］
前記複数の検証ユニットは、顔検証ユニット、唇の動き検証ユニット、音声検証ユニット、パスコード検証ユニット、指紋検証ユニット、および網膜検証ユニットのうちの少なくとも２つを含む、Ｃ１に記載の方法。
［Ｃ１１］
前記所定のアクセスコマンドは、キーワード、動きのパターン、唇の動き、または顔の表情のうちの少なくとも１つを含む、Ｃ１に記載の方法。
［Ｃ１２］
電子デバイスへのアクセスを可能にするためにユーザを検証するための前記電子デバイスであって、
複数のセンサからセンサデータを受信するように構成されたプロセッサを備え、前記複数のセンサは、少なくとも画像センサおよび音センサを含み、前記プロセッサは、
前記センサデータに基づいて、前記電子デバイスのコンテキスト情報を決定するように構成されたコンテキスト情報決定ユニットと、
前記コンテキスト情報に基づいて、複数の検証ユニットから少なくとも１つの検証ユニットを選択するように構成された検証管理ユニットと、ここにおいて、前記複数の検証ユニットの各々は、前記ユーザが前記電子デバイスにアクセスすることを認可されるかどうかを検証することが可能である、
前記複数の検証ユニットを含む検証エンジンと、ここにおいて、前記少なくとも１つの選択された検証ユニットは、前記画像センサまたは前記音センサのうちの少なくとも１つからの前記センサデータに基づいて、少なくとも１つの検証値を算出するように構成され、前記少なくとも１つの検証値の各々は、認可されたユーザまたは所定のアクセスコマンドのうちの少なくとも１つを示す、
を備え、前記検証管理ユニットは、前記少なくとも１つの検証値および前記コンテキスト情報に基づいて、前記ユーザが前記電子デバイスにアクセスすることを可能にするかどうかを決定するように構成される、電子デバイス。
［Ｃ１３］
前記プロセッサは、
前記画像センサから、第１のセンサデータを受信することと、ここにおいて、前記第１のセンサデータは、前記ユーザを示す少なくとも１つの画像を含む、
前記音センサから、第２のセンサデータを受信することと、ここにおいて、前記第２のセンサデータは、前記ユーザからの音または環境音のうちの少なくとも１つを示す入力音を含む、
を行うように構成される、Ｃ１２に記載の電子デバイス。
［Ｃ１４］
前記コンテキスト情報決定ユニットは、前記第１のセンサデータまたは前記第２のセンサデータのうちの少なくとも１つのデータ品質を示す少なくとも１つの信頼度値を算出するように構成される、Ｃ１３に記載の電子デバイス。
［Ｃ１５］
前記検証管理ユニットは、前記少なくとも１つの信頼度値に基づいて、前記複数の検証ユニットから前記少なくとも１つの検証ユニットを選択するように構成される、Ｃ１４に記載の電子デバイス。
［Ｃ１６］
前記電子デバイスの電力状態をモニタするように構成された電力センサをさらに備え、
前記コンテキスト情報決定ユニットは、前記電子デバイスの前記電力状態に少なくとも基づいて、前記コンテキスト情報を決定するように構成される、Ｃ１２に記載の電子デバイス。
［Ｃ１７］
前記コンテキスト情報決定ユニットは、
セキュリティレベルに関連付けられたイベントを検出することと、
前記イベントに関連付けられた前記セキュリティレベルに少なくとも基づいて、前記コンテキスト情報を決定することと
を行うように構成される、Ｃ１２に記載の電子デバイス。
［Ｃ１８］
前記複数のセンサは、加速度計またはジャイロスコープのうちの少なくとも１つを含み、前記加速度計または前記ジャイロスコープのうちの前記少なくとも１つからの前記センサデータは、前記電子デバイスの動きを示す、Ｃ１２に記載の電子デバイス。
［Ｃ１９］
前記複数のセンサは、ロケーションセンサを含み、前記ロケーションセンサからの前記センサデータは、前記電子デバイスのロケーションを示す、Ｃ１２に記載の電子デバイス。
［Ｃ２０］
前記検証管理ユニットは、
前記コンテキスト情報に基づいて、少なくとも１つの重みを前記少なくとも１つの選択された検証ユニットに割り当てることと、
前記少なくとも１つの検証値および前記少なくとも１つの重みに基づいて、前記ユーザが前記電子デバイスにアクセスすることを可能にするかどうかを決定することと
を行うように構成される、Ｃ１２に記載の電子デバイス。
［Ｃ２１］
前記複数の検証ユニットは、顔検証ユニット、唇の動き検証ユニット、音声検証ユニット、パスコード検証ユニット、指紋検証ユニット、および網膜検証ユニットのうちの少なくとも２つを含む、Ｃ１２に記載の電子デバイス。
［Ｃ２２］
前記所定のアクセスコマンドは、キーワード、動きのパターン、唇の動き、または顔の表情のうちの少なくとも１つを含む、Ｃ１２に記載の電子デバイス。
［Ｃ２３］
電子デバイスが、前記電子デバイスへのアクセスを可能にするためにユーザを検証するための命令を備える非一時的コンピュータ可読記憶媒体であって、前記命令は、前記電子デバイスのプロセッサに、
複数のセンサからセンサデータを受信することと、ここにおいて、前記複数のセンサは、少なくとも画像センサおよび音センサを含む、
前記センサデータに基づいて、前記電子デバイスのコンテキスト情報を決定することと、
前記コンテキスト情報に基づいて、複数の検証ユニットから少なくとも１つの検証ユニットを選択することと、ここにおいて、前記複数の検証ユニットの各々は、前記ユーザが前記電子デバイスにアクセスすることを認可されるかどうかを検証することが可能である、
前記少なくとも１つの選択された検証ユニットが、前記画像センサまたは前記音センサのうちの少なくとも１つからの前記センサデータに基づいて、少なくとも１つの検証値を算出することと、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定することと
を行う動作を遂行させる、非一時的コンピュータ可読記憶媒体。
［Ｃ２４］
電子デバイスへのアクセスを可能にするためにユーザを検証するための前記電子デバイスであって、
複数のセンサからセンサデータを受信するための手段と、ここにおいて、前記複数のセンサは、少なくとも画像センサおよび音センサを含む、
前記センサデータに基づいて、前記電子デバイスのコンテキスト情報を決定するための手段と、
前記コンテキスト情報に基づいて、複数の検証ユニットから少なくとも１つの検証ユニットを選択するための手段と、ここにおいて、前記複数の検証ユニットの各々は、前記ユーザが前記電子デバイスにアクセスすることを認可されるかどうかを検証することが可能である、
前記画像センサまたは前記音センサのうちの少なくとも１つからの前記センサデータに基づいて、前記少なくとも１つの選択された検証ユニットの少なくとも１つの検証値を算出するための手段と、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定するための手段と
を備える、電子デバイス。
［Ｃ２５］
前記複数のセンサから前記センサデータを前記受信するための手段は、
前記画像センサから、第１のセンサデータを受信するための手段と、ここにおいて、前記第１のセンサデータは、前記ユーザを示す少なくとも１つの画像を含む、
前記音センサから、第２のセンサデータを受信するための手段と、ここにおいて、前記第２のセンサデータは、前記ユーザからの音または環境音のうちの少なくとも１つを示す入力音を含む、
を備える、Ｃ２４に記載の電子デバイス。
［Ｃ２６］
前記電子デバイスの前記コンテキスト情報を前記決定するための手段は、前記第１のセンサデータまたは前記第２のセンサデータのうちの少なくとも１つのデータ品質を示す少なくとも１つの信頼度値を算出するための手段を備える、Ｃ２５に記載の電子デバイス。
［Ｃ２７］
前記複数の検証ユニットから前記少なくとも１つの検証ユニットを前記選択するための手段は、前記少なくとも１つの信頼度値に基づいて、前記複数の検証ユニットから前記少なくとも１つの検証ユニットを選択するための手段を備える、Ｃ２６に記載の電子デバイス。
［Ｃ２８］
前記電子デバイスの電力状態をモニタするための手段をさらに備え、
前記電子デバイスの前記コンテキスト情報を前記決定するための手段は、前記電子デバイスの前記電力状態に少なくとも基づいて、前記コンテキスト情報を決定するための手段を備える、Ｃ２４に記載の電子デバイス。
［Ｃ２９］
前記電子デバイスの前記コンテキスト情報を前記決定するための手段は、
セキュリティレベルに関連付けられたイベントを検出するための手段と、
前記イベントに関連付けられた前記セキュリティレベルに少なくとも基づいて、前記コンテキスト情報を決定するための手段と
を備える、Ｃ２４に記載の電子デバイス。
［Ｃ３０］
前記ユーザが前記電子デバイスにアクセスすることを可能にするかどうかを前記決定するための手段は、
前記コンテキスト情報に基づいて、少なくとも１つの重みを前記少なくとも１つの選択された検証ユニットに割り当てるための手段と、
前記少なくとも１つの検証値および前記少なくとも１つの重みに基づいて、前記ユーザが前記電子デバイスにアクセスすることを可能にするかどうかを決定するための手段と
を備える、Ｃ２４に記載の電子デバイス。
【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
電子デバイスへのアクセスを可能にするためにユーザを検証するための、前記電子デバイスによって遂行される方法であって、前記方法は、
複数のセンサからセンサデータを受信することと、ここにおいて、前記複数のセンサは、少なくとも画像センサおよび音センサを含む、
前記電子デバイスのコンテキスト情報を決定することと、ここにおいて、前記コンテキスト情報を決定することは、前記複数のセンサの各々から受信された前記センサデータの前記品質を示す少なくとも１つの信頼度値を決定することを含む、
前記少なくとも１つの信頼度値に基づいて、複数の検証ユニットから少なくとも１つの検証ユニットを選択することと、ここにおいて、前記複数の検証ユニットの各々は、前記ユーザが前記電子デバイスにアクセスすることを認可されるかどうかを検証することが可能である、
前記少なくとも１つの選択された検証ユニットが、前記画像センサまたは前記音センサのうちの少なくとも１つからの前記センサデータに基づいて、少なくとも１つの検証値を算出することと、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定することと
を備える、方法。
【請求項２】
前記複数のセンサから前記センサデータを受信することは、
前記画像センサから、第１のセンサデータを受信することと、ここにおいて、前記第１のセンサデータは、前記ユーザを示す少なくとも１つの画像を含む、
前記音センサから、第２のセンサデータを受信することと、ここにおいて、前記第２のセンサデータは、前記ユーザからの音または環境音のうちの少なくとも１つを示す入力音を含む、
を備える、請求項１に記載の方法。
【請求項３】
前記少なくとも１つの信頼度値は、鮮明度値、輝度値、コントラスト値、または彩度値のうちの少なくとも１つを備える、請求項１に記載の方法。
【請求項４】
前記コンテキスト情報を決定することは、画像パラメータを基準画像の少なくとも１つの基準画像パラメータと比較することを備える、請求項１に記載の方法。
【請求項５】
前記電子デバイスの電力状態をモニタすることをさらに備え、
前記電子デバイスの前記コンテキスト情報を決定することは、前記電子デバイスの前記電力状態に少なくとも基づいて、前記コンテキスト情報を決定することを備える、請求項１に記載の方法。
【請求項６】
前記電子デバイスの前記コンテキスト情報を決定することは、
セキュリティレベルに関連付けられたイベントを検出することと、
前記イベントに関連付けられた前記セキュリティレベルに少なくとも基づいて、前記コンテキスト情報を決定することと
を備える、請求項１に記載の方法。
【請求項７】
前記複数のセンサは、加速度計またはジャイロスコープのうちの少なくとも１つを含み、前記加速度計または前記ジャイロスコープのうちの前記少なくとも１つからの前記センサデータは、前記電子デバイスの動きを示す、請求項１に記載の方法。
【請求項８】
前記複数のセンサは、ロケーションセンサを含み、前記ロケーションセンサからの前記センサデータは、前記電子デバイスのロケーションを示す、請求項１に記載の方法。
【請求項９】
前記ユーザが前記電子デバイスにアクセスすることを可能にするかどうかを決定することは、
前記コンテキスト情報に基づいて、少なくとも１つの重みを前記少なくとも１つの選択された検証ユニットに割り当てることと、
前記少なくとも１つの検証値および前記少なくとも１つの重みに基づいて、前記ユーザが前記電子デバイスにアクセスすることを可能にするかどうかを決定することと
を備える、請求項１に記載の方法。
【請求項１０】
前記複数の検証ユニットは、顔検証ユニット、唇の動き検証ユニット、音声検証ユニット、パスコード検証ユニット、指紋検証ユニット、および網膜検証ユニットのうちの少なくとも２つを含む、請求項１に記載の方法。
【請求項１１】
前記所定のアクセスコマンドは、キーワード、動きのパターン、唇の動き、または顔の表情のうちの少なくとも１つを含む、請求項１に記載の方法。
【請求項１２】
電子デバイスへのアクセスを可能にするためにユーザを検証するための前記電子デバイスであって、
複数のセンサからセンサデータを受信するように構成されたプロセッサを備え、前記複数のセンサは、少なくとも画像センサおよび音センサを含み、前記プロセッサは、
前記電子デバイスのコンテキスト情報を決定するように構成されたコンテキスト情報決定ユニットと、ここにおいて、前記コンテキスト情報の前記決定は、前記複数のセンサのうちの少なくとも１つから受信された前記センサデータの前記品質を示す少なくとも１つの信頼度値を決定することを含む、
前記少なくとも１つの信頼度値に基づいて、複数の検証ユニットから少なくとも１つの検証ユニットを選択するように構成された検証管理ユニットと、ここにおいて、前記複数の検証ユニットの各々は、前記ユーザが前記電子デバイスにアクセスすることを認可されるかどうかを検証することが可能である、
前記複数の検証ユニットを含む検証エンジンと、ここにおいて、前記少なくとも１つの選択された検証ユニットは、前記画像センサまたは前記音センサのうちの少なくとも１つからの前記センサデータに基づいて、少なくとも１つの検証値を算出するように構成され、前記少なくとも１つの検証値の各々は、認可されたユーザまたは所定のアクセスコマンドのうちの少なくとも１つを示す、
を備え、前記検証管理ユニットは、前記少なくとも１つの検証値および前記コンテキスト情報に基づいて、前記ユーザが前記電子デバイスにアクセスすることを可能にするかどうかを決定するように構成される、電子デバイス。
【請求項１３】
前記プロセッサは、
前記画像センサから、第１のセンサデータを受信することと、ここにおいて、前記第１のセンサデータは、前記ユーザを示す少なくとも１つの画像を含む、
前記音センサから、第２のセンサデータを受信することと、ここにおいて、前記第２のセンサデータは、前記ユーザからの音または環境音のうちの少なくとも１つを示す入力音を含む、
を行うように構成される、請求項１２に記載の電子デバイス。
【請求項１４】
前記少なくとも１つの信頼度値は、鮮明度値、輝度値、コントラスト値、または彩度値のうちの少なくとも１つを備える、請求項１２に記載の電子デバイス。
【請求項１５】
前記コンテキスト情報を決定することは、画像パラメータを基準画像の少なくとも１つの基準画像パラメータと比較することを備える、請求項１２に記載の電子デバイス。
【請求項１６】
前記電子デバイスの電力状態をモニタするように構成された電力センサをさらに備え、
前記コンテキスト情報決定ユニットは、前記電子デバイスの前記電力状態に少なくとも基づいて、前記コンテキスト情報を決定するように構成される、請求項１２に記載の電子デバイス。
【請求項１７】
前記コンテキスト情報決定ユニットは、
セキュリティレベルに関連付けられたイベントを検出することと、
前記イベントに関連付けられた前記セキュリティレベルに少なくとも基づいて、前記コンテキスト情報を決定することと
を行うように構成される、請求項１２に記載の電子デバイス。
【請求項１８】
前記複数のセンサは、加速度計またはジャイロスコープのうちの少なくとも１つを含み、前記加速度計または前記ジャイロスコープのうちの前記少なくとも１つからの前記センサデータは、前記電子デバイスの動きを示す、請求項１２に記載の電子デバイス。
【請求項１９】
前記複数のセンサは、ロケーションセンサを含み、前記ロケーションセンサからの前記センサデータは、前記電子デバイスのロケーションを示す、請求項１２に記載の電子デバイス。
【請求項２０】
前記検証管理ユニットは、
前記コンテキスト情報に基づいて、少なくとも１つの重みを前記少なくとも１つの選択された検証ユニットに割り当てることと、
前記少なくとも１つの検証値および前記少なくとも１つの重みに基づいて、前記ユーザが前記電子デバイスにアクセスすることを可能にするかどうかを決定することと
を行うように構成される、請求項１２に記載の電子デバイス。
【請求項２１】
前記複数の検証ユニットは、顔検証ユニット、唇の動き検証ユニット、音声検証ユニット、パスコード検証ユニット、指紋検証ユニット、および網膜検証ユニットのうちの少なくとも２つを含む、請求項１２に記載の電子デバイス。
【請求項２２】
前記所定のアクセスコマンドは、キーワード、動きのパターン、唇の動き、または顔の表情のうちの少なくとも１つを含む、請求項１２に記載の電子デバイス。
【請求項２３】
電子デバイスが、前記電子デバイスへのアクセスを可能にするためにユーザを検証するための命令を備える非一時的コンピュータ可読記憶媒体であって、前記命令は、前記電子デバイスのプロセッサに、
複数のセンサからセンサデータを受信することと、ここにおいて、前記複数のセンサは、少なくとも画像センサおよび音センサを含む、
前記センサデータに基づいて、前記電子デバイスのコンテキスト情報を決定することと、ここにおいて、前記コンテキスト情報を決定することは、前記複数のセンサの各々から受信された前記センサデータの前記品質を示す少なくとも１つの信頼度値を決定することを含む、
前記少なくとも１つの信頼度値に基づいて、複数の検証ユニットから少なくとも１つの検証ユニットを選択することと、ここにおいて、前記複数の検証ユニットの各々は、前記ユーザが前記電子デバイスにアクセスすることを認可されるかどうかを検証することが可能である、
前記少なくとも１つの選択された検証ユニットが、前記画像センサまたは前記音センサのうちの少なくとも１つからの前記センサデータに基づいて、少なくとも１つの検証値を算出することと、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定することと
を行う動作を遂行させる、非一時的コンピュータ可読記憶媒体。
【請求項２４】
電子デバイスへのアクセスを可能にするためにユーザを検証するための前記電子デバイスであって、
複数のセンサからセンサデータを受信するための手段と、ここにおいて、前記複数のセンサは、少なくとも画像センサおよび音センサを含む、
前記センサデータに基づいて、前記電子デバイスのコンテキスト情報を決定するための手段と、ここにおいて、前記コンテキスト情報を決定することは、前記複数のセンサの各々から受信された前記センサデータの前記品質を示す少なくとも１つの信頼度値を決定することを含む、
前記少なくとも１つの信頼度値に基づいて、複数の検証ユニットから少なくとも１つの検証ユニットを選択するための手段と、ここにおいて、前記複数の検証ユニットの各々は、前記ユーザが前記電子デバイスにアクセスすることを認可されるかどうかを検証することが可能である、
前記画像センサまたは前記音センサのうちの少なくとも１つからの前記センサデータに基づいて、前記少なくとも１つの選択された検証ユニットの少なくとも１つの検証値を算出するための手段と、ここにおいて、前記少なくとも１つの検証値の各々は、認可されたユーザまたは所定のアクセスコマンドのうちの少なくとも１つを示す、
前記少なくとも１つの検証値および前記コンテキスト情報に基づいて、前記ユーザが前記電子デバイスにアクセスすることを可能にするかどうかを決定するための手段と
を備える、電子デバイス。
【請求項２５】
前記複数のセンサから前記センサデータを前記受信するための手段は、
前記画像センサから、第１のセンサデータを受信するための手段と、ここにおいて、前記第１のセンサデータは、前記ユーザを示す少なくとも１つの画像を含む、
前記音センサから、第２のセンサデータを受信するための手段と、ここにおいて、前記第２のセンサデータは、前記ユーザからの音または環境音のうちの少なくとも１つを示す入力音を含む、
を備える、請求項２４に記載の電子デバイス。
【請求項２６】
前記少なくとも１つの信頼度値は、鮮明度値、輝度値、コントラスト値、または彩度値のうちの少なくとも１つを備える、請求項２４に記載の電子デバイス。
【請求項２７】
前記コンテキスト情報を前記決定するための手段は、画像パラメータを基準画像の少なくとも１つの基準画像パラメータと比較するための手段を備える、請求項２４に記載の電子デバイス。
【請求項２８】
前記電子デバイスの電力状態をモニタするための手段をさらに備え、
前記電子デバイスの前記コンテキスト情報を前記決定するための手段は、前記電子デバイスの前記電力状態に少なくとも基づいて、前記コンテキスト情報を決定するための手段を備える、請求項２４に記載の電子デバイス。
【請求項２９】
前記電子デバイスの前記コンテキスト情報を前記決定するための手段は、
セキュリティレベルに関連付けられたイベントを検出するための手段と、
前記イベントに関連付けられた前記セキュリティレベルに少なくとも基づいて、前記コンテキスト情報を決定するための手段と
を備える、請求項２４に記載の電子デバイス。
【請求項３０】
前記ユーザが前記電子デバイスにアクセスすることを可能にするかどうかを前記決定するための手段は、
前記コンテキスト情報に基づいて、少なくとも１つの重みを前記少なくとも１つの選択された検証ユニットに割り当てるための手段と、
前記少なくとも１つの検証値および前記少なくとも１つの重みに基づいて、前記ユーザが前記電子デバイスにアクセスすることを可能にするかどうかを決定するための手段と
を備える、請求項２４に記載の電子デバイス。
【国際調査報告】
2018508868.tif 000015
2018508868.tif 000016
2018508868.tif 000017